(57)【要約】【課題】データを可視出力した記録紙などの記録媒体の存在を容易に探索することができる受信端末を提供すること。【解決手段】画像情報を受信する画像受信部４０１と、媒体ＩＤが付与された記録媒体に受信した画像情報をプリントするプリント出力部４０２と、プリントした記録媒体の探索を要求する探索コマンドを受信するコマンド受信部４０５と、ネットワークを介して接続され、媒体ＩＤによって記録媒体を探索する外部端末に、受信した探索コマンドを送信するコマンド送信部４０６と、探索コマンドによる探索の結果を表す応答を外部端末から受信する応答受信部４０７と、受信した応答を送信する応答送信部４０８と、を備えた。【選択図】        図４
2008153980.tif 000002
【特許請求の範囲】
【請求項１】
情報を取得する情報取得手段と、
記録媒体を識別する媒体ＩＤが付与された前記記録媒体に、取得した前記情報を可視化する可視化手段と、
前記情報を可視化した前記記録媒体の探索を要求する探索コマンドを受付ける受付手段と、
ネットワークを介して接続され、前記媒体ＩＤを持った前記記録媒体を探索する外部端末に、受付けた前記探索コマンドを送信するコマンド送信手段と、
前記探索コマンドに対して前記記録媒体の探索結果を表す応答を前記外部端末から受信する応答受信手段と、
受信した前記応答を出力する出力手段と、
を備えたことを特徴とする受信端末。
【請求項２】
前記情報を可視化した前記記録媒体から前記媒体ＩＤを取得するＩＤ取得手段と、
ネットワークを介して接続された送信端末に、取得した前記媒体ＩＤを送信するＩＤ送信手段と、をさらに備え、
前記情報取得手段は、前記送信端末から送信された前記情報を取得し、
前記受付手段は、前記送信端末から送信され、前記媒体ＩＤを含む前記探索コマンドを受付け、
前記出力手段は、前記送信端末に対して前記応答を出力すること、
を特徴とする請求項１に記載の受信端末。
【請求項３】
前記媒体ＩＤと、前記情報を識別する情報ＩＤとを対応づけて記憶可能なＩＤ記憶手段と、
前記情報を可視化した前記記録媒体から前記媒体ＩＤを取得するとともに、取得した前記媒体ＩＤと可視化した前記情報の前記情報ＩＤとを対応づけて前記ＩＤ記憶手段に保存するＩＤ取得手段と、をさらに備え、
前記情報取得手段は、ネットワークを介して接続された送信端末から、前記情報ＩＤをさらに取得し、
前記受付手段は、前記送信端末から送信され、前記情報ＩＤを含む前記探索コマンドを受付け、
前記コマンド送信手段は、受付けた前記探索コマンドに含まれる前記情報ＩＤに対応する前記媒体ＩＤを前記ＩＤ記憶手段から取得し、取得した前記媒体ＩＤを含む前記探索コマンドを、前記外部端末に送信し、
前記出力手段は、前記送信端末に対して前記応答を出力すること、
を特徴とする請求項１に記載の受信端末。
【請求項４】
ネットワークを介して接続され、前記情報の送信元である送信端末のアドレス情報と、前記媒体ＩＤと、前記情報を可視化した時刻とを含む可視化履歴を記憶可能な履歴記憶手段をさらに備え、
前記可視化手段は、前記情報を前記記録媒体に可視化したときに前記可視化履歴を前記履歴記憶手段に記憶し、
さらに前記履歴記憶手段に記憶された前記可視化履歴を可視出力すること、
を特徴とする請求項１に記載の受信端末。
【請求項５】
情報を取得する情報取得手段と、
記録媒体を識別する媒体ＩＤが付与された前記記録媒体に、取得した前記情報を可視化する可視化手段と、
前記情報を可視化した前記記録媒体に付与された前記媒体ＩＤである可視化媒体ＩＤを、前記情報を可視化した前記記録媒体から取得するＩＤ取得手段と、
取得した前記可視化媒体ＩＤを、前記情報の取得元である前記記録媒体に記録する記録手段と、
ネットワークを介して接続され、前記媒体ＩＤを持った前記記録媒体を探索する外部端末に、前記情報を可視化した前記記録媒体の探索を要求する探索コマンドを送信するコマンド送信手段と、を備え、  前記ＩＤ取得手段は、前記情報の取得元である前記記録媒体から前記可視化媒体ＩＤをさらに取得し、
前記コマンド送信手段は、前記ＩＤ取得手段により、前記情報の取得元である前記記録媒体から前記可視化媒体ＩＤが取得されたときに、取得された前記可視化媒体ＩＤを含む前記探索コマンドを前記外部端末に送信すること、
を特徴とする可視情報複写端末。
【請求項６】
ネットワークを介して接続され、前記情報を受信して前記記録媒体に可視化する外部受信端末に対して、取得した前記情報を転送する転送手段をさらに備え、
前記情報取得手段は、前記情報の転送先である前記外部受信端末を特定する転送情報をさらに取得し、
前記転送手段は、取得した前記転送情報で特定される前記外部受信端末に前記情報を転送し、
前記受付手段は、前記転送情報を含む前記探索コマンドを受付け、
前記コマンド送信手段は、前記探索コマンドに含まれる前記転送情報で特定される前記外部受信端末に、前記探索コマンドを送信すること、
を特徴とする請求項１に記載の受信端末。
【請求項７】
前記可視化手段は、前記媒体ＩＤを格納したＩＣタグが付加された紙媒体である前記記録媒体に前記情報を可視化し、
前記コマンド送信手段は、前記媒体ＩＤを持った前記紙媒体を探索する前記外部端末に前記探索コマンドを送信すること、
を特徴とする請求項１に記載の受信端末。
【請求項８】
前記可視化手段は、前記媒体ＩＤを保持する電子ペーパーである前記記録媒体に前記情報を可視化し、
前記コマンド送信手段は、前記媒体ＩＤを持った前記電子ペーパーを探索する前記外部端末に前記探索コマンドを送信すること、
を特徴とする請求項１に記載の受信端末。
【請求項９】
ネットワークを介して接続され、情報を受信して記録媒体に可視化する受信端末に、前記情報を送信する情報送信手段と、
前記情報を可視化した前記記録媒体の探索を要求する探索コマンドを、前記受信端末およびネットワークを介して接続された外部端末の少なくとも一方に送信するコマンド送信手段と、
前記探索コマンドに対する応答を前記受信端末および前記外部端末の少なくとも一方から受信する応答受信手段と、
を備えたことを特徴とする送信端末。
【請求項１０】
前記情報を可視化した前記記録媒体を識別する第１媒体ＩＤを前記受信端末から受信するＩＤ受信手段をさらに備え、
前記コマンド送信手段は、受信した前記第１媒体ＩＤを含む前記探索コマンドを、前記受信端末および前記外部端末の少なくとも一方に送信すること、
を特徴とする請求項９に記載の送信端末。
【請求項１１】
前記情報とともに、前記情報の取得元である前記記録媒体を識別する第２媒体ＩＤを取得する情報取得手段と、
前記第１媒体ＩＤと前記第２媒体ＩＤとを対応づけて記憶可能な記憶手段と、をさらに備え、
前記情報送信手段は、取得した前記情報を前記受信端末に送信し、
前記ＩＤ受信手段は、受信した前記第１媒体ＩＤと、取得した前記第２媒体ＩＤとを対応づけて前記記憶手段に保存し、
前記コマンド送信手段は、前記情報取得手段によって前記第２媒体ＩＤが取得されたときに、取得された前記第２媒体ＩＤに対応する前記第１媒体ＩＤを前記記憶手段から取得し、取得した前記第１媒体ＩＤを含む前記探索コマンドを、前記受信端末および前記外部端末の少なくとも一方に送信すること、
を特徴とする請求項１０に記載の送信端末。
【請求項１２】
前記情報を識別する情報ＩＤを、前記情報の取得元である前記記録媒体に記録する記録手段と、
前記情報とともに、前記情報の取得元である前記記録媒体に記録された前記情報ＩＤを取得する情報取得手段と、
前記第１媒体ＩＤと前記情報ＩＤとを対応づけて記憶可能な記憶手段と、をさらに備え、
前記情報送信手段は、取得した前記情報を前記受信端末に送信し、
前記ＩＤ受信手段は、受信した前記第１媒体ＩＤと、前記情報ＩＤとを対応づけて前記記憶手段に保存し、
前記コマンド送信手段は、前記情報取得手段によって前記情報ＩＤを取得したときに、取得した前記情報ＩＤに対応する前記第１媒体ＩＤを前記記憶手段から取得し、取得した前記第１媒体ＩＤを含む前記探索コマンドを、前記受信端末および前記外部端末の少なくとも一方に送信すること、
を特徴とする請求項１０に記載の送信端末。
【請求項１３】
送信した前記情報を識別する情報ＩＤを記憶可能な記憶手段をさらに備え、
前記情報送信手段は、前記情報とともに前記情報ＩＤをさらに送信し、送信した前記情報ＩＤを前記記憶手段に保存し、
前記コマンド送信手段は、前記記憶手段から選択された前記情報ＩＤを含む前記探索コマンドを、前記受信端末および前記外部端末の少なくとも一方に送信すること、
を特徴とする請求項９に記載の送信端末。
【請求項１４】
前記情報を識別する情報ＩＤを、前記情報の取得元である前記記録媒体に記録する記録手段と、
前記記録媒体から記録された前記情報ＩＤを取得する情報ＩＤ取得手段と、をさらに備え、
前記情報送信手段は前記情報とともに前記情報を識別する前記情報ＩＤも送信し、
前記コマンド送信手段は、前記情報ＩＤ取得手段によって前記記録媒体から前記情報ＩＤを取得したときに、取得した前記情報ＩＤを含む前記探索コマンドを、前記受信端末および前記外部端末の少なくとも一方に送信すること、
を特徴とする請求項９に記載の送信端末。
【請求項１５】
前記受信端末のアドレス情報と、前記情報を送信した時刻と、前記情報の送信が成功したか否かを示す結果と、前記受信端末から受信する前記第１媒体ＩＤとを含む送信履歴を記憶可能な履歴記憶手段と、
前記履歴記憶手段に記憶された前記送信履歴を可視出力する可視出力制御手段と、をさらに備え、
前記情報送信手段が前記情報を送信したときに前記送信履歴を前記履歴記憶手段に記憶すること、
を特徴とする請求項１０に記載の送信端末。
【請求項１６】
前記探索コマンドに対する応答結果と、前記応答を受信した時刻と、前記第１媒体ＩＤとを含む探索履歴を記憶可能な履歴記憶手段と、
前記履歴記憶手段に記憶された前記探索履歴を可視出力する可視出力制御手段と、をさらに備え、
前記応答受信手段は、前記応答を受信したときに前記探索履歴を前記履歴記憶手段に記憶すること、
を特徴とする請求項１０に記載の送信端末。
【請求項１７】
前記コマンド送信手段は、廃棄された前記記録媒体を管理する廃棄管理装置である前記外部端末に前記探索コマンドを送信し、
前記応答受信手段は、前記廃棄管理装置から前記応答を受信したとき、前記記録媒体が廃棄されたことを示す廃棄情報を含む前記探索履歴を前記履歴記憶手段に記憶すること、
を特徴とする請求項１６に記載の送信端末。
【請求項１８】
前記コマンド送信手段は、前記記録媒体を粉砕する粉砕装置である前記外部端末に前記探索コマンドを送信し、
前記応答受信手段は、前記粉砕装置から前記応答を受信したとき、前記記録媒体が粉砕されたことを示す粉砕情報を含む前記探索履歴を前記履歴記憶手段に記憶すること、
を特徴とする請求項１６に記載の送信端末。
【請求項１９】
ネットワークを介して接続され、前記情報の送信を依頼する依頼端末から前記情報を取得する情報取得手段をさらに備え、
前記情報送信手段は、前記情報取得手段が取得した前記情報を前記受信端末に送信すること、
を特徴とする請求項９に記載の送信端末。
【請求項２０】
情報を送信する送信端末と、前記送信端末にネットワークを介して接続され、前記情報を受信して記録媒体に可視化する受信端末と、前記送信端末にネットワークを介して接続され、前記記録媒体の探索を行う外部端末と、
を備えた探索システムであって、
前記送信端末は、
前記受信端末に、前記情報を送信する情報送信手段と、
前記情報を可視化した前記記録媒体の探索を要求する探索コマンドを、前記受信端末および前記外部端末の少なくとも一方に送信する第１コマンド送信手段と、
前記探索コマンドに対する応答を前記受信端末および前記外部端末の少なくとも一方から受信する第１応答受信手段と、
前記受信端末は、
前記情報を前記送信端末から取得する情報取得手段と、
前記記録媒体を識別する媒体ＩＤが付与された前記記録媒体に、取得した前記情報を可視化する可視化手段と、
前記情報を可視化した前記記録媒体の探索を要求する探索コマンドを受付ける受付手段と、
前記媒体ＩＤを持った前記記録媒体を探索する前記外部端末に、受付けた前記探索コマンドを送信する第２コマンド送信手段と、
前記探索コマンドに対して前記記録媒体の探索結果を表す応答を前記外部端末から受信する第２応答受信手段と、
受信した前記応答を前記送信端末に出力する出力手段と、
を備えたことを特徴とする探索システム。
【発明の詳細な説明】
【技術分野】
【０００１】
この発明は、文書情報などが可視出力された記録媒体の存在場所の探索を行う受信端末、可視情報複写端末、送信端末および探索システムに関するものである。
【背景技術】
【０００２】
近年、複数の異なる機器間で効率的に情報を交換するために、情報通信ネットワークが広く普及している。例えば、プリンタ、コピー、ファクシミリ、スキャナなどの各装置の機能を１つの筐体内に収納した、いわゆるＭＦＰ（Multi Function Peripheral）と呼ばれる複数の画像形成装置（以下、複合機という。）が、このような情報通信ネットワークで相互に接続され、複合機間でデータを送受信して各種処理が行われている。
【０００３】
このような処理の一例として、ＩＰネットワークを介してファクシミリ送信を行うＩＰ−ＦＡＸ機能が挙げられる。ＩＰ−ＦＡＸ機能によれば、ある複合機でＦＡＸ送信が指示された画像データを、ＩＰネットワークを介して他の複合機に送信し、当該画像データを受信した複合機でプリント出力を行うことが可能になる。
【０００４】
従来、このようなＩＰ−ＦＡＸ機能では、ＦＡＸを送信した送信者が、送信画像がプリントされた記録紙がＦＡＸの受取人により正しく受け取られたか否かを確認する手段として、電話等を用いて直接受取人に確認する方法が採られていた。このような方法では、受取人に連絡がとれない、または受取人から連絡が来ない場合は、送信者は送信画像の記録紙が現在どこに存在するのかを把握することができなかった。
【０００５】
また、複数のユーザにより共用されたプリンタにプリント出力する環境で、プリントされた記録紙を他人が誤って持って行ったために記録紙を紛失した場合にも、上記と同様に記録紙の所在を確認不可能となる問題が生じる。
【０００６】
紙文書の管理を行う方法としては、紙文書に添付されたセキュリティ・タグを用いて当該紙文書に対する処理の許可・拒否を制御する技術が提案されている（例えば、特許文献１）。特許文献１の方法では、まず、紙文書にセキュリティ・タグを添付し、このタグデータを管理サーバに送信する。管理サーバは受信したタグデータを予め記憶されたタグデータと照合して、照合結果をオフィス機器に送信するとともに、オフィス機器で処理される文書の追跡管理を行う。オフィス機器は、その照合結果に基づいて前記文書の処理の許可・拒否を行う。
【０００７】
また、特定のキャビネット等の中に収容されたＲＦＩＤ（Radio Frequency ＩＤentification）タグ付き紙文書を検索するシステムや、特定のトレイ上に存在するＲＦＩＤタグ付き紙文書を認識するシステムなどが実用化されている。
【０００８】
【特許文献１】特開２００３−１２２６１６号公報
【発明の開示】
【発明が解決しようとする課題】
【０００９】
しかしながら、特許文献１の方法では、紙文書がいずれのオフィス機器で処理されたかを知ることはできるが、紙文書が現在どこに存在しているかは知ることができないという問題があった。また、上記のようなＲＦＩＤタグ付き文書を検索するシステム等では、検索対象となる領域が特定のキャビネット等に制限されるため、不特定の場所に存在しうる紙文書の存否を確認できないという問題があった。
【００１０】
本発明は、上記に鑑みてなされたものであって、データを可視出力した記録紙などの記録媒体の存在を容易に探索することができる受信端末、可視情報複写端末、送信端末および探索システムを提供することを目的とする。
【課題を解決するための手段】
【００１１】
上述した課題を解決し、目的を達成するために、請求項１にかかる発明は、情報を取得する情報取得手段と、記録媒体を識別する媒体ＩＤが付与された前記記録媒体に、取得した前記情報を可視化する可視化手段と、前記情報を可視化した前記記録媒体の探索を要求する探索コマンドを受付ける受付手段と、ネットワークを介して接続され、前記媒体ＩＤを持った前記記録媒体を探索する外部端末に、受付けた前記探索コマンドを送信するコマンド送信手段と、前記探索コマンドに対して前記記録媒体の探索結果を表す応答を前記外部端末から受信する応答受信手段と、受信した前記応答を出力する出力手段と、を備えたことを特徴とする。
【００１２】
また、請求項２にかかる発明は、請求項１にかかる発明において、前記情報を可視化した前記記録媒体から前記媒体ＩＤを取得するＩＤ取得手段と、ネットワークを介して接続された送信端末に、取得した前記媒体ＩＤを送信するＩＤ送信手段と、をさらに備え、前記情報取得手段は、前記送信端末から送信された前記情報を取得し、前記受付手段は、前記送信端末から送信され、前記媒体ＩＤを含む前記探索コマンドを受付け、前記出力手段は、前記送信端末に対して前記応答を出力すること、を特徴とする。
【００１３】
また、請求項３にかかる発明は、請求項１にかかる発明において、前記媒体ＩＤと、前記情報を識別する情報ＩＤとを対応づけて記憶可能なＩＤ記憶手段と、前記情報を可視化した前記記録媒体から前記媒体ＩＤを取得するとともに、取得した前記媒体ＩＤと可視化した前記情報の前記情報ＩＤとを対応づけて前記ＩＤ記憶手段に保存するＩＤ取得手段と、をさらに備え、前記情報取得手段は、ネットワークを介して接続された送信端末から、前記情報ＩＤをさらに取得し、前記受付手段は、前記送信端末から送信され、前記情報ＩＤを含む前記探索コマンドを受付け、前記コマンド送信手段は、受付けた前記探索コマンドに含まれる前記情報ＩＤに対応する前記媒体ＩＤを前記ＩＤ記憶手段から取得し、取得した前記媒体ＩＤを含む前記探索コマンドを、前記外部端末に送信し、前記出力手段は、前記送信端末に対して前記応答を出力すること、を特徴とする。
【００１４】
また、請求項４にかかる発明は、請求項１にかかる発明において、ネットワークを介して接続され、前記情報の送信元である送信端末のアドレス情報と、前記媒体ＩＤと、前記情報を可視化した時刻とを含む可視化履歴を記憶可能な履歴記憶手段をさらに備え、前記可視化手段は、前記情報を前記記録媒体に可視化したときに前記可視化履歴を前記履歴記憶手段に記憶し、さらに前記履歴記憶手段に記憶された前記可視化履歴を可視出力すること、を特徴とする。
【００１５】
また、請求項５にかかる発明は、情報を取得する情報取得手段と、記録媒体を識別する媒体ＩＤが付与された前記記録媒体に、取得した前記情報を可視化する可視化手段と、前記情報を可視化した前記記録媒体に付与された前記媒体ＩＤである可視化媒体ＩＤを、前記情報を可視化した前記記録媒体から取得するＩＤ取得手段と、取得した前記可視化媒体ＩＤを、前記情報の取得元である前記記録媒体に記録する記録手段と、ネットワークを介して接続され、前記媒体ＩＤを持った前記記録媒体を探索する外部端末に、前記情報を可視化した前記記録媒体の探索を要求する探索コマンドを送信するコマンド送信手段と、を備え、前記ＩＤ取得手段は、前記情報の取得元である前記記録媒体から前記可視化媒体ＩＤをさらに取得し、前記コマンド送信手段は、前記ＩＤ取得手段により、前記情報の取得元である前記記録媒体から前記可視化媒体ＩＤが取得されたときに、取得された前記可視化媒体ＩＤを含む前記探索コマンドを前記外部端末に送信すること、を特徴とする。
【００１６】
また、請求項６にかかる発明は、請求項１にかかる発明において、ネットワークを介して接続され、前記情報を受信して前記記録媒体に可視化する外部受信端末に対して、取得した前記情報を転送する転送手段をさらに備え、前記情報取得手段は、前記情報の転送先である前記外部受信端末を特定する転送情報をさらに取得し、前記転送手段は、取得した前記転送情報で特定される前記外部受信端末に前記情報を転送し、前記受付手段は、前記転送情報を含む前記探索コマンドを受付け、前記コマンド送信手段は、前記探索コマンドに含まれる前記転送情報で特定される前記外部受信端末に、前記探索コマンドを送信すること、を特徴とする。
【００１７】
また、請求項７にかかる発明は、請求項１にかかる発明において、前記可視化手段は、前記媒体ＩＤを格納したＩＣタグが付加された紙媒体である前記記録媒体に前記情報を可視化し、前記コマンド送信手段は、前記媒体ＩＤを持った前記紙媒体を探索する前記外部端末に前記探索コマンドを送信すること、を特徴とする。
【００１８】
また、請求項８にかかる発明は、請求項１にかかる発明において、前記可視化手段は、前記媒体ＩＤを保持する電子ペーパーである前記記録媒体に前記情報を可視化し、前記コマンド送信手段は、前記媒体ＩＤを持った前記電子ペーパーを探索する前記外部端末に前記探索コマンドを送信すること、を特徴とする。
【００１９】
また、請求項９にかかる発明は、ネットワークを介して接続され、情報を受信して記録媒体に可視化する受信端末に、前記情報を送信する情報送信手段と、前記情報を可視化した前記記録媒体の探索を要求する探索コマンドを、前記受信端末およびネットワークを介して接続された外部端末の少なくとも一方に送信するコマンド送信手段と、前記探索コマンドに対する応答を前記受信端末および前記外部端末の少なくとも一方から受信する応答受信手段と、を備えたことを特徴とする。
【００２０】
また、請求項１０にかかる発明は、請求項９にかかる発明において、前記情報を可視化した前記記録媒体を識別する第１媒体ＩＤを前記受信端末から受信するＩＤ受信手段をさらに備え、前記コマンド送信手段は、受信した前記第１媒体ＩＤを含む前記探索コマンドを、前記受信端末および前記外部端末の少なくとも一方に送信すること、を特徴とする。
【００２１】
また、請求項１１にかかる発明は、請求項１０にかかる発明において、前記情報とともに、前記情報の取得元である前記記録媒体を識別する第２媒体ＩＤを取得する情報取得手段と、前記第１媒体ＩＤと前記第２媒体ＩＤとを対応づけて記憶可能な記憶手段と、をさらに備え、前記情報送信手段は、取得した前記情報を前記受信端末に送信し、前記ＩＤ受信手段は、受信した前記第１媒体ＩＤと、取得した前記第２媒体ＩＤとを対応づけて前記記憶手段に保存し、前記コマンド送信手段は、前記情報取得手段によって前記第２媒体ＩＤが取得されたときに、取得された前記第２媒体ＩＤに対応する前記第１媒体ＩＤを前記記憶手段から取得し、取得した前記第１媒体ＩＤを含む前記探索コマンドを、前記受信端末および前記外部端末の少なくとも一方に送信すること、を特徴とする。
【００２２】
また、請求項１２にかかる発明は、請求項１０にかかる発明において、前記情報を識別する情報ＩＤを、前記情報の取得元である前記記録媒体に記録する記録手段と、前記情報とともに、前記情報の取得元である前記記録媒体に記録された前記情報ＩＤを取得する情報取得手段と、前記第１媒体ＩＤと前記情報ＩＤとを対応づけて記憶可能な記憶手段と、をさらに備え、前記情報送信手段は、取得した前記情報を前記受信端末に送信し、前記ＩＤ受信手段は、受信した前記第１媒体ＩＤと、前記情報ＩＤとを対応づけて前記記憶手段に保存し、前記コマンド送信手段は、前記情報取得手段によって前記情報ＩＤを取得したときに、取得した前記情報ＩＤに対応する前記第１媒体ＩＤを前記記憶手段から取得し、取得した前記第１媒体ＩＤを含む前記探索コマンドを、前記受信端末および前記外部端末の少なくとも一方に送信すること、を特徴とする。
【００２３】
また、請求項１３にかかる発明は、請求項９にかかる発明において、送信した前記情報を識別する情報ＩＤを記憶可能な記憶手段をさらに備え、前記情報送信手段は、前記情報とともに前記情報ＩＤをさらに送信し、送信した前記情報ＩＤを前記記憶手段に保存し、前記コマンド送信手段は、前記記憶手段から選択された前記情報ＩＤを含む前記探索コマンドを、前記受信端末および前記外部端末の少なくとも一方に送信すること、を特徴とする。
【００２４】
また、請求項１４にかかる発明は、請求項９にかかる発明において、前記情報を識別する情報ＩＤを、前記情報の取得元である前記記録媒体に記録する記録手段と、前記記録媒体から記録された前記情報ＩＤを取得する情報ＩＤ取得手段と、をさらに備え、前記情報送信手段は前記情報とともに前記情報を識別する前記情報ＩＤも送信し、前記コマンド送信手段は、前記情報ＩＤ取得手段によって前記記録媒体から前記情報ＩＤを取得したときに、取得した前記情報ＩＤを含む前記探索コマンドを、前記受信端末および前記外部端末の少なくとも一方に送信すること、を特徴とする。
【００２５】
また、請求項１５にかかる発明は、請求項１０にかかる発明において、前記受信端末のアドレス情報と、前記情報を送信した時刻と、前記情報の送信が成功したか否かを示す結果と、前記受信端末から受信する前記第１媒体ＩＤとを含む送信履歴を記憶可能な履歴記憶手段と、前記履歴記憶手段に記憶された前記送信履歴を可視出力する可視出力制御手段と、をさらに備え、前記情報送信手段が前記情報を送信したときに前記送信履歴を前記履歴記憶手段に記憶すること、を特徴とする。
【００２６】
また、請求項１６にかかる発明は、請求項１０にかかる発明において、前記探索コマンドに対する応答結果と、前記応答を受信した時刻と、前記第１媒体ＩＤとを含む探索履歴を記憶可能な履歴記憶手段と、前記履歴記憶手段に記憶された前記探索履歴を可視出力する可視出力制御手段と、をさらに備え、前記応答受信手段は、前記応答を受信したときに前記探索履歴を前記履歴記憶手段に記憶すること、を特徴とする。
【００２７】
また、請求項１７にかかる発明は、請求項１６にかかる発明において、前記コマンド送信手段は、廃棄された前記記録媒体を管理する廃棄管理装置である前記外部端末に前記探索コマンドを送信し、前記応答受信手段は、前記廃棄管理装置から前記応答を受信したとき、前記記録媒体が廃棄されたことを示す廃棄情報を含む前記探索履歴を前記履歴記憶手段に記憶すること、を特徴とする。
【００２８】
また、請求項１８にかかる発明は、請求項１６にかかる発明において、前記コマンド送信手段は、前記記録媒体を粉砕する粉砕装置である前記外部端末に前記探索コマンドを送信し、前記応答受信手段は、前記粉砕装置から前記応答を受信したとき、前記記録媒体が粉砕されたことを示す粉砕情報を含む前記探索履歴を前記履歴記憶手段に記憶すること、を特徴とする。
【００２９】
また、請求項１９にかかる発明は、請求項９にかかる発明において、ネットワークを介して接続され、前記情報の送信を依頼する依頼端末から前記情報を取得する情報取得手段をさらに備え、前記情報送信手段は、前記情報取得手段が取得した前記情報を前記受信端末に送信すること、を特徴とする。
【００３０】
また、請求項２０にかかる発明は、情報を送信する送信端末と、前記送信端末にネットワークを介して接続され、前記情報を受信して記録媒体に可視化する受信端末と、前記送信端末にネットワークを介して接続され、前記記録媒体の探索を行う外部端末と、を備えた探索システムであって、前記送信端末は、前記受信端末に、前記情報を送信する情報送信手段と、前記情報を可視化した前記記録媒体の探索を要求する探索コマンドを、前記受信端末および前記外部端末の少なくとも一方に送信する第１コマンド送信手段と、前記探索コマンドに対する応答を前記受信端末および前記外部端末の少なくとも一方から受信する第１応答受信手段と、前記受信端末は、前記情報を前記送信端末から取得する情報取得手段と、前記記録媒体を識別する媒体ＩＤが付与された前記記録媒体に、取得した前記情報を可視化する可視化手段と、前記情報を可視化した前記記録媒体の探索を要求する探索コマンドを受付ける受付手段と、前記媒体ＩＤを持った前記記録媒体を探索する前記外部端末に、受付けた前記探索コマンドを送信する第２コマンド送信手段と、前記探索コマンドに対して前記記録媒体の探索結果を表す応答を前記外部端末から受信する第２応答受信手段と、受信した前記応答を前記送信端末に出力する出力手段と、を備えたことを特徴とする。
【発明の効果】
【００３１】
本発明によれば、データを可視出力した記録紙などの記録媒体の存在を容易に探索することができるという効果を奏する。
【００３２】
また、本発明によれば、データの可視出力先から返信された記録媒体の媒体ＩＤを用いて当該記録媒体の存在を容易に探索することができるという効果を奏する。
【００３３】
また、本発明によれば、データの可視出力の依頼元で付与した文書ＩＤを用いて探索を要求することができるため、記録媒体探索時のユーザの利便性が向上するという効果を奏する。
【００３４】
また、本発明によれば、記録媒体が廃棄または粉砕されたか否かを確認できるため、記録媒体探索時のユーザの利便性が向上するという効果を奏する。
【００３５】
また、本発明によれば、ユーザが参照可能な処理の履歴を可視出力するため、記録媒体探索時のユーザの利便性が向上するという効果を奏する。
【００３６】
また、本発明によれば、文書データが転送された場合でも、媒体ＩＤを使用して不特定多数の端末へ探索依頼を出すため、目的の文書記録媒体の存在場所を特定し易くなり、ユーザの利便性が向上するという効果を奏する。
【００３７】
また、本発明によれば、ユーザは文書原稿を再度スキャナで読取ることにより記録媒体の探索を依頼できるため、記録媒体探索時のユーザの利便性が向上するという効果を奏する。
【００３８】
また、本発明によれば、記録媒体の探索をＰＣなどの外部端末から行うことが可能となるため、記録媒体探索時のユーザの利便性が向上するという効果を奏する。
【発明を実施するための最良の形態】
【００３９】
以下に添付図面を参照して、この発明にかかる送信端末および受信端末の最良な実施の形態を詳細に説明する。なお、以下では情報を送信する送信端末および情報を受信して可視化する受信端末として、複合機を用いた例について説明するが、送信端末および受信端末は複合機に限られるものではない。
【００４０】
（第１の実施の形態）
第１の実施の形態にかかる探索システムは、ＩＰ−ＦＡＸで画像データを記録媒体にプリント出力したときに、プリント出力した複合機（受信端末）から画像データ送信元の複合機（送信端末）に当該記録媒体を識別する媒体ＩＤを送信し、送信端末は当該媒体ＩＤを用いて記録媒体を探索可能とするものである。また、記録媒体に付加されたＲＦＩＤから媒体ＩＤを読み取る機能を備えた多数のＰＣに探索の依頼（探索コマンド）を送信し、当該ＰＣから探索結果を受信することにより記録媒体の存在箇所を探索するものである。
【００４１】
図１は、第１の実施の形態にかかる探索システムの構成を示すブロック図である。同図に示すように、第１の実施の形態の探索システムは、ネットワークＡ１とネットワークＢ１とがＩＰネットワーク（ＩＰ網）２０を介して接続された構成となっている。
【００４２】
ネットワークＡ１には複合機１、ゲートウェイ２、ＳＩＰ（Session Initiation Protocol）プロキシサーバ３および図示しないパーソナルコンピュータ（ＰＣ）等が接続されている。ネットワークＢ１には複合機１０、ゲートウェイ１１、パーソナルコンピュータ（ＰＣ）１２〜１９等が接続されている。なお、ネットワークＡ１以外に存在するＳＩＰプロキシサーバの図示は省略している。
【００４３】
複合機１、複合機１０はコピー機能、プリンタ機能、およびＩＰネットワークを使用したファクシミリ通信を行うＩＴＵ-Ｔ勧告Ｔ.３８に準拠したＩＰファクシミリ（以降、ＩＰ−ＦＡＸと記す）機能等を備えた装置である。複合機１０にはさらに、ＵＨＦ帯の電波を使用して画像プリント用紙に付加されたＲＦＩＤタグからデータを読み取るＲＦＩＤリーダが内蔵されている。
【００４４】
ゲートウェイ２、ゲートウェイ１１は異なるネットワーク（サブネット）間でパケットを転送して、ネットワークＡ１に接続された機器とネットワークＢ１に接続された機器との間の通信を可能とするルータである。
【００４５】
ＳＩＰプロキシサーバ３は、端末の電話番号またはＦＡＸ番号とＩＰアドレスとの対応テーブルを登録しており、端末から電話番号またはＦＡＸ番号を宛先とした接続要求を受けると、その宛先番号に対応したＩＰアドレス宛に発呼接続し、端末間を接続させるものである。
【００４６】
ＰＣ１２〜１９には、ＵＨＦ帯の電波を使用してＲＦＩＤタグからデータを読み取るＲＦＩＤリーダが接続されている。ＩＰ網２０は、企業内ＩＰネットワークや、インターネット、広域イーサネット（登録商標）等である。
【００４７】
なお、同図では、複合機１および複合機１０をそれぞれ１つのみ記載しているが、各装置数は１つに限られず、探索システム内に複数の複合機１または複合機１０を含むように構成してもよい。また、複合機１と複合機１０の機能を兼ね備え、ＩＰ−ＦＡＸの送信元としても送信先としても機能する複合機を含むように構成してもよい。
【００４８】
次に、複合機１０のハードウェア構成について説明する。図２は、ＲＦＩＤリーダが内蔵された複合機１０のハードウェア構成の一例を示す説明図である。複合機１０は、ＣＰＵ３０、メインメモリ３１、ＲＯＭ(Read Only Memory)３２、クロック３３、バスコントローラ３４、ＰＣＩ(Peripheral Component Interconnect)ブリッジ３５、キャッシュメモリ３６、スキャナコントローラ３７、スキャナ３８、プリントコントローラ３９、プリントエンジン４０、ハードディスク４１、ＨＤ(Hard Disk)コントローラ４２、ＬＣＤ表示コントローラ４３、ＬＣＤ４４、ＬＡＮコントローラ４５、ＬＡＮ  Ｉ/Ｆ(Interface)４６、ＲＦＩＤリーダ４７、アンテナ４８、キー入力コントローラ４９、ハードキー５０、タッチパネルコントローラ５１、タッチパネル５２、ＲＴＣ(Real Time Clock)５３、ＣＰＵバス５４、ＰＣＩバス５５、Ｘバス（内部バス）５６を備えている。
【００４９】
ＣＰＵ３０は、ＲＯＭ３２に記憶された制御処理プログラムやＯＳ(Operating System)を実行および処理するものである。メインメモリ３１は、ＤＲＡＭ(Dynamic Random Access Memory)により構成されており、ＣＰＵ３０のワークエリア等で使用される。ＲＯＭ３２は、電源オン時のシステム立ち上げや複合機１０の機能を実現するための各種プログラムが予め書き込まれている。クロック３３は、水晶発振子と分周回路から構成されており、ＣＰＵ３０やバスコントローラ３４の動作タイミングを制御するためのクロックを生成している。バスコントローラ３４は、ＣＰＵバス５４とＸバス５６でのデータ転送を制御する。ＰＣＩブリッジ３５は、キャッシュメモリ３６を使用して、ＰＣＩバス５５とＣＰＵ３０との間のデータ転送を行う。キャッシュメモリ３６は、ＤＲＡＭにより構成されており、ＰＣＩブリッジ３５により使用される。
【００５０】
スキャナコントローラ３７はスキャナ３８の原稿読み取り動作を制御する。スキャナ３８は、ＣＣＤラインセンサ（以下、ＣＣＤという）により紙面画像を読み取る。プリントコントローラ３９はプリントエンジン４０の動作を制御する。プリントエンジン４０はトナーを使用して、紙面にカラー画像またはモノクロ画像をプリントする。
【００５１】
ハードディスク４１は、スキャナ３８から入力された画像情報や通信により受信した画像情報、またカラー画像またはモノクロ画像をプリントした紙の識別情報等を記憶する。ＨＤコントローラ４２は、ハードディスク４１とのインターフェースとして例えばＩＤＥ(Integrated Device Electronics)インターフェースを持ち、ハードディスク４１と高速データ転送を行う。ＬＣＤ表示コントローラ４３は、文字データやグラフィックデータ等をＤ/Ａ(Digital/Analog)変換するとともに、これらのデータをＬＣＤ４４に表示するための制御を行う。ＬＡＮコントローラ４５は例えばＩＥＥＥ(Institute of Electrical and Electronics Engineers)８０２．３規格に準拠した通信プロトコルを実行して、ＬＡＮ  Ｉ／Ｆ４６を介してイーサネット（登録商標）に接続された他の機器との通信を制御する。ＲＦＩＤリーダ４７はＩＳＯ／ＩＥＣ１８０００-６で規定された通信仕様に従った動作を行い、アンテナ４８から８６０〜９６０ＭＨｚの周波数帯（ＵＨＦ帯）の電波を発生し（日本では９５０〜９５６ＭＨｚ、米国では９０２〜９２８ＭＨｚ）、ＲＦＩＤタグ５７から送信された同周波数帯の電波をアンテナ４８で受信してＲＦＩＤタグ５７に記憶された識別データ（ＩＤ）を得る。このＲＦＩＤリーダ４７は複合機１０の排紙部近傍に取り付けられており、プリントエンジン４０にてプリントされた紙が排紙される時に、ＵＨＦ帯の電波を発生してそのプリント用紙に付加されたＲＦＩＤタグ５７からＩＤを読み取る。なお、以下ではプリント用紙などの記録媒体に付加されたＲＦＩＤタグ５７から読取ったＩＤを媒体ＩＤという。
【００５２】
キー入力コントローラ４９は、ハードキー５０から入力されたシリアルデータからパラレルデータへの変換を行う。タッチパネルコントローラ５１は、タッチパネル５２上で指等の物体が接触した部分を検出し、その位置情報を取り込む。タッチパネル５２はＬＣＤ４４と重ね合わせて密着している。ＲＴＣ５３は日付時計であり、図示しないバッテリによりバックアップされている。
【００５３】
ＲＦＩＤタグ５７はアンテナとＩＣ回路からなるインレットであり、ＩＳＯ／ＩＥＣ１８０００-６で規定された通信仕様に従った動作を行い、ＲＦＩＤリーダ４７とアンテナ４８から発生された電波を受信すると、この電波によって生じた起電力を用いて内蔵されたＩＣ回路を動作させ、予め記憶されている媒体ＩＤを送信する。このＲＦＩＤタグ５７（インレット）はラベルに埋め込まれており、このラベルはプリント用紙に予め貼り付けられている。なお、複合機１０のユーザは、プリント用紙の面のうちこのラベルが付いている面を、画像がプリントされる面の裏側になるように複合機１０にセットする。
【００５４】
ネットワークＡ１に存在する複合機１は、図２のハードウェア構成からＲＦＩＤリーダ４７とアンテナ４８を省いたハードウェア構成を持つ。
【００５５】
次に、複合機１および複合機１０の機能について説明する。図３は、第１の実施の形態にかかる複合機１の構成を示す機能ブロック図である。同図に示すように、複合機１は、履歴記憶部３２１と、画像取得部３０１と、画像送信部３０２と、ＩＤ受信部３０３と、探索ＩＤ受付部３０４と、コマンド送信部３０５と、応答受信部３０６と、表示制御部３０７と、プリント出力部３０８と、を備えている。
【００５６】
履歴記憶部３２１は、ＩＤ受信部３０３が複合機１０から受信した媒体ＩＤと、媒体ＩＤの取得元を特定する情報（宛先アドレス）、送信時刻、送信ページ数、送信した画像をサムネイル化（低解像度化）した画像情報、送信結果等の送信履歴とを対応づけて格納するものである。また、履歴記憶部３２１は、探索した媒体ＩＤと、探索結果と、探索結果の受信時刻と、を含む、可視出力した記録媒体の探索履歴を記憶する。なお、探索結果としては、探索が成功した場合は、探索が成功したことを表すデータと、探索成功レスポンスに含まれた端末名（ホスト名）とが含まれる。また、探索が失敗した場合は、探索結果には探索が失敗したことを表すデータが含まれる。なお、履歴記憶部３２１は、図２のハードディスク４１に相当する。
【００５７】
画像取得部３０１は、スキャナ３８により読取った画像情報を取得するものである。画像送信部３０２は、画像取得部３０１により取得された画像情報を複合機１０に送信するものである。
【００５８】
ＩＤ受信部３０３は、複合機１０から、ＩＰ−ＦＡＸ機能により送信した画像情報を可視化したプリント用紙の媒体ＩＤを受信するものである。媒体ＩＤを送信するためのメッセージの詳細については後述する。
【００５９】
探索ＩＤ受付部３０４は、画像情報を可視化したプリント用紙を探索するためにユーザが指定した、探索するプリント用紙の媒体ＩＤを受付けるものである。
【００６０】
コマンド送信部３０５は、探索ＩＤ受付部３０４が受付けた媒体ＩＤに対応するプリント用紙の探索を要求するコマンドである探索コマンドを、複合機１０に送信するものである。探索コマンドの詳細については後述する。応答受信部３０６は、送信した探索コマンドに対する応答を複合機１０から受信するものである。
【００６１】
表示制御部３０７は、ＬＣＤ４４に対する各種画面等の表示処理を制御するものである。具体的には、表示制御部３０７は、各種処理を指定するためのメニュー画面の表示、媒体ＩＤを選択するための画面の表示、送信宛先を選択する画面（送信宛先選択画面）の表示、探索結果の表示、探索履歴の表示などを制御する。プリント出力部３０８は探索履歴をレポートとしてプリント出力する。
【００６２】
図４は、第１の実施の形態にかかる複合機１０の構成を示す機能ブロック図である。同図に示すように、複合機１０は、履歴記憶部４２１と、画像受信部４０１と、プリント出力部４０２と、ＩＤ取得部４０３と、ＩＤ送信部４０４と、コマンド受信部４０５と、コマンド送信部４０６と、応答受信部４０７と、応答送信部４０８と、表示制御部４０９と、を備えている。
【００６３】
履歴記憶部４２１は、画像情報の送信元である複合機１のＩＰアドレス、プリント出力した時刻、出力したページ数、受信結果、および出力した媒体の媒体ＩＤを含む可視化処理の履歴（プリント履歴）を記憶するものである。なお、履歴記憶部４２１は、図２のハードディスク４１に相当する。
【００６４】
画像受信部４０１は、複合機１から送信された画像情報を受信するものである。プリント出力部４０２は、画像受信部４０１が取得した画像情報を、ＲＦＩＤが付加されたプリント用紙にプリント出力（可視化）したり、プリント履歴をレポートとしてプリント出力するものである。
【００６５】
ＩＤ取得部４０３は、ＲＦＩＤリーダ４７およびアンテナ４８を用いて、画像情報を可視化したプリント用紙から媒体ＩＤを取得するものである。ＩＤ送信部４０４は、ＩＤ取得部４０３により取得された媒体ＩＤを、複合機１に対して送信するものである。
【００６６】
コマンド受信部４０５は、複合機１から送信された探索コマンドを受付けるものである。コマンド送信部４０６は、コマンド受信部４０５により受付けられた探索コマンドを、ＰＣ１２〜１９に送信するものである。
【００６７】
応答受信部４０７は、探索コマンドに対してＰＣ１２〜１９が返信した探索結果（応答）を受信するものである。応答送信部４０８は、応答受信部４０７が受信した応答を、複合機１に送信するものである。表示制御部４０９はユーザによりプリント履歴の表示が指定された場合、履歴記憶部４２１からプリント履歴を取得してＬＣＤ４４にレポートとして表示する。
【００６８】
次に、ＰＣ１２〜１９の機能の概要について説明する。ＰＣ１２〜１９には、上述のようにＲＦＩＤタグからデータを読み取るＲＦＩＤリーダが接続されており、所定の範囲内に存在するＲＦＩＤタグから識別データを読取ることができるように構成されている。図５は、ＰＣ１２〜１９それぞれに接続されたＲＦＩＤリーダがＵＨＦ帯の電波を使用してＲＦＩＤタグからデータを読み取ることができる範囲の例を示す説明図である。同図に示すように、例えばＰＣ１２は、円状の領域５０１の内部に存在するＲＦＩＤタグのデータを読取ることができる。
【００６９】
次に、複合機１と複合機１０との間で送受信されるメッセージについて説明する。第１の実施の形態では、可視化したプリント用紙の媒体ＩＤを通知するメッセージ（以下、媒体ＩＤ通知メッセージという。）や、探索コマンドは、ＳＩＰのインスタントメッセージにより送受信する。
【００７０】
図６は、媒体ＩＤ通知メッセージのデータ構造の一例を示す説明図である。同図は、ＳＩＰのＭＥＳＳＡＧＥメソッドの形式で表された媒体ＩＤ通知メッセージの例を示している。
【００７１】
媒体ＩＤ通知メッセージの１行目はリクエストライン（リクエストの場合）またはステータスライン（レスポンスの場合）であり、メソッド名またはステータスコードを含んでいる。２行目から空白行の直前まではメッセージヘッダで、経由装置（ＳＩＰプロキシサーバ）を表す「Via」、リクエストが宛先に向かう過程で通過することができるホップ数を制限する「Max-Forwards」、送信元の「SIP URI（Uniform Resource Identifier）」と送信元を特定する乱数である「tag」を含む「From」、送信先の「SIP URI」を含む「To」、ＳＩＰセッションを一意に特定するための「Call-ID」、リクエストのシーケンス番号である「CSeq」、メッセージボディがテキストであることを表す「Content-Type」、メッセージボディに入れたメッセージの文字数を示す「Content-Length」の各パラメータを含んでいる。空白行の次の行はメッセージボディであり、媒体ＩＤの通知を表すメッセージ「Paper：ID=（媒体ＩＤ）」がテキスト形式（アスキー文字）で記載されている。
【００７２】
図７は、探索コマンドのデータ構造の一例を示す説明図である。同図は、ＳＩＰのＭＥＳＳＡＧＥメソッドの形式で表された探索コマンドの例を示している。
【００７３】
探索コマンドの１行目から空白行の直前までに記述されたデータの構成は媒体ＩＤ通知メッセージのデータ構造を示した図６と同様であるため、その説明は省略する。空白行の次の行であるメッセージボディには、媒体ＩＤの探索を表すメッセージ「Search：ID=（媒体ＩＤ）」がテキスト（アスキー文字）で記載されている。
【００７４】
なお、探索結果を表す応答（探索成功レスポンスまたは探索失敗レスポンス）も、上記と同様のＳＩＰのＭＥＳＳＡＧＥメソッドの形式で送受信される。この場合、探索成功レスポンスのメッセージボディには「OK:ID=613942:host=pc15」のように、成功を表すテキスト（OK）と、媒体ＩＤと、探索が成功したＰＣを特定するためのホスト名（pc15）とが含まれる。探索成功レスポンスには、ホスト名の代わりにログインしているユーザ名を含めてもよい。また、探索失敗レスポンスのメッセージボディには「NG:ID=613942」のように、失敗を表すテキスト（NG）と、媒体ＩＤとが含まれる。
【００７５】
次に、このように構成された第１の実施の形態にかかる探索システムによる媒体探索処理について説明する。以下では、媒体探索処理を、ＩＰ−ＦＡＸ機能により画像情報を送信する画像送信処理、ＩＰ−ＦＡＸ機能により情報を可視化した記録媒体を探索するコマンドを送信する探索コマンド送信処理、および記録媒体への記録と記録媒体の探索を行う記録・探索処理に分けて説明する。なお、画像送信処理および探索コマンド送信処理は送信端末が実行する処理である。また、記録・探索処理は受信端末が実行する処理である。
【００７６】
まず、複合機１によって実行される画像送信処理について説明する。図８は、第１の実施の形態における画像送信処理の全体の流れを示すフローチャートである。
【００７７】
まず、表示制御部３０７が、ＩＰ−ＦＡＸ機能により画像情報を送信する操作が入力されたか否かを判断する（ステップＳ８０１）。操作が入力されていない場合は（ステップＳ８０１：ＮＯ）、操作が入力されるまでステップＳ８０１の処理を繰り返す。操作が入力された場合は（ステップＳ８０１：ＹＥＳ）、画像取得部３０１が、指定された原稿を読み取り、画像情報を取得する（ステップＳ８０２）。
【００７８】
次に、画像送信部３０２が、読み取った画像情報を複合機１０に送信する（ステップＳ８０３）。なお、画像送信部３０２は、送信履歴を履歴記憶部３２１に保存する。続いて、ＩＤ受信部３０３が、複合機１０から返信された記録媒体の媒体ＩＤを受信し（ステップＳ８０４）、画像送信処理を終了する。なお、受信した媒体ＩＤは、履歴記憶部３２１に保存される。
【００７９】
次に、複合機１によって実行される探索コマンド送信処理について説明する。図９は、第１の実施の形態における探索コマンド送信処理の全体の流れを示すフローチャートである。
【００８０】
まず、表示制御部３０７が、探索モードが選択されたか否かを判断し（ステップＳ９０１）、選択されていない場合は（ステップＳ９０１：ＮＯ）、選択されるまで処理を繰り返す。なお、探索モードとは、複合機１の操作を行うメニュー画面等で指定可能な処理の１つであり、ＩＰ−ＦＡＸ機能で画像を出力したプリント用紙の存在場所を探索するための処理を指定するモードを表す。
【００８１】
探索モードが選択された場合は（ステップＳ９０１：ＹＥＳ）、表示制御部３０７は、探索対象となりうるプリント用紙の媒体ＩＤを履歴記憶部３２１から取得して一覧表示する（ステップＳ９０２）。
【００８２】
図１０は、媒体ＩＤを表示した一覧表示画面の一例を示す説明図である。同図に示すように、一覧表示画面には、画像情報を送信した複合機１０を識別する情報（宛先）と、送信時刻と、送信ページ数と、送信結果と、各ページの画像データを出力したプリント用紙の媒体ＩＤとが含まれる。なお、媒体ＩＤの表示順番は、送信したページの順番に対応している。また、送信履歴として送信画像のサムネイル画像が履歴記憶部３２１に保存されているが、サムネイル画像は一覧表示画面には表示されず、紙へプリントされる送信結果レポートに付加される。
【００８３】
次に、表示制御部３０７は、タッチパネル５２を介して媒体ＩＤが選択されたか否かを判断し（ステップＳ９０３）、選択されていない場合は（ステップＳ９０３：ＮＯ）、選択されるまで処理を繰り返す。媒体ＩＤが選択された場合は（ステップＳ９０３：ＹＥＳ）、探索ＩＤ受付部３０４が選択された媒体ＩＤを探索する媒体ＩＤとして受付ける（ステップＳ９０４）。また、探索ＩＤ受付部３０４は、選択された媒体ＩＤに対応する受信端末を特定する情報（宛先情報）を受付ける。なお、宛先情報は、履歴記憶部３２１から取得することができる。
【００８４】
次に、コマンド送信部３０５は、選択された媒体ＩＤに対応する宛先である複合機１０（受信端末）に対し、選択された媒体ＩＤをメッセージボディに含めた探索コマンドを送信する（ステップＳ９０５）。また、ＩＰ−ＦＡＸ送信はＳＩＰプロキシサーバ３を使用して呼接続を行うようになっている。また、図１０に示した宛先番号と当該宛先のＩＰアドレスとの対応テーブル（図示せず）はＳＩＰプロキシサーバ３に予め登録されており、ＳＩＰプロキシサーバ３は、複合機１から受信した宛先番号に対応するＩＰアドレスを対応テーブルから取得して該ＩＰアドレス宛に呼を接続する。
【００８５】
次に、応答受信部３０６は、探索コマンドを送信後、複合機１０から応答を受信したか否かを判断する（ステップＳ９０６）。応答を受信していない場合は（ステップＳ９０６：ＮＯ）、受信するまで処理を繰り返す。応答を受信した場合は（ステップＳ９０６：ＹＥＳ）、表示制御部３０７は、受信した応答の内容（探索成功レスポンスまたは探索失敗レスポンス）に従い、探索が成功した場合は探索成功レスポンスに含まれたホスト名を探索が成功したことを表すメッセージとともにＬＣＤ４４に表示し、探索が失敗した場合は指定した媒体ＩＤが見つからなかったことを表すメッセージをＬＣＤ４４に表示して（ステップＳ９０７）、探索コマンド送信処理を終了する。なお、応答を受信した場合、応答受信部３０６は、探索履歴を履歴記憶部３２１に保存する。
【００８６】
次に、複合機１０によって実行される記録・探索処理について説明する。図１１は、第１の実施の形態における複合機１０の記録・探索処理の全体の流れを示すフローチャートである。
【００８７】
まず、画像受信部４０１は、複合機１から画像情報を受信したか否かを判断する（ステップＳ１１０１）。画像情報を受信した場合は（ステップＳ１１０１：ＹＥＳ）、プリント出力部４０２が、受信した画像情報をＲＦＩＤタグ５７が付加されたプリント用紙に印刷する（ステップＳ１１０２）。なお、プリント出力部４０２は、印刷後、プリント履歴を履歴記憶部４２１に保存する。
【００８８】
次に、ＩＤ取得部４０３が、印刷したプリント用紙に付加されたＲＦＩＤタグ５７から媒体ＩＤを取得する（ステップＳ１１０３）。なお、ＩＤ取得部４０３は、プリント用紙を機械内部から外へ排出する時に、ＲＦＩＤリーダ４７を動作させてアンテナ４８からＵＨＦ帯の電波を発生し、そのプリント用紙に付加されたＲＦＩＤタグ５７から識別データ（媒体ＩＤ）を読み取る。なお、ＲＦＩＤリーダ４７は１枚のプリント用紙のみから媒体ＩＤを読み取る程度に電波の出力を抑える。すなわち、プリント排出中でないプリント用紙からは媒体ＩＤを読み取らないように構成する。
【００８９】
続いて、ＩＤ送信部４０４が、取得した媒体ＩＤを送信元である複合機１に送信し（ステップＳ１１０４）、情報受信判定処理に戻って処理を繰り返す（ステップＳ１１０１）。
【００９０】
なお、複合機１０がＩＰ−ＦＡＸにより受信した画像情報をプリントした用紙にＲＦＩＤタグ５７が付加されていない場合、媒体ＩＤ無しの情報を複合機１に送信する。すなわち、複合機１０のＲＦＩＤリーダ４７を動作させてアンテナ４８からＵＨＦ帯の電波を発生して、識別データ（媒体ＩＤ）を読み取れない場合は、媒体ＩＤにゼロをセットしてＩＰ−ＦＡＸの送信元端末である複合機１へ送信する。
【００９１】
ステップＳ１１０１で、画像情報を受信していないと判断された場合は（ステップＳ１１０１：ＮＯ）、コマンド受信部４０５は、複合機１から探索コマンドを受信したか否かを判断する（ステップＳ１１０５）。
【００９２】
探索コマンドを受信した場合は（ステップＳ１１０５：ＹＥＳ）、コマンド送信部４０６は、受信した探索コマンドをＳＩＰのインスタントメッセージを使用してＰＣ１２〜１９に送信する（ステップＳ１１０６）。
【００９３】
なお、ＰＣ１２〜１９は探索コマンドを受信すると、自装置に接続されたＲＦＩＤリーダを動作させてＵＨＦ帯の電波を発生する。これにより、識別データ（ＩＤ）の応答が得られたＰＣは、このＩＤが複合機１０から受信した探索コマンドに含まれた媒体ＩＤと一致するか否かをチェックする。一致する場合には、自装置のホスト名を含めた探索成功レスポンスを複合機１０へＳＩＰのインスタントメッセージを使用して送信する。
【００９４】
次に、応答受信部４０７が、探索コマンドを送信後、所定の時間内にＰＣ１２〜１９から探索結果（応答）を受信したか否かを判断する（ステップＳ１１０７）。
【００９５】
所定時間内に応答を受信した場合は（ステップＳ１１０７：ＹＥＳ）、応答送信部４０８は、探索成功レスポンスを、探索コマンドの送信元である複合機１に送信する（ステップＳ１１０８）。所定時間内に応答を受信しなかった場合は（ステップＳ１１０７：ＮＯ）、応答送信部４０８は、探索失敗レスポンスを、探索コマンドの送信元である複合機１に送信する（ステップＳ１１０９）。
【００９６】
応答送信部４０８が応答を送信後（ステップＳ１１０８、ステップＳ１１０９）、またはステップＳ１１０５で探索コマンドを受信していないと判断された場合は（ステップＳ１１０５：ＮＯ）、情報受信判定処理に戻って処理を繰り返す（ステップＳ１１０１）。
【００９７】
なお、複合機１０でＩＰ−ＦＡＸ機能により受信した画像情報のプリントに関する履歴（プリント履歴）は、複合機１０の履歴記憶部４２１に保存される。また、ユーザによりプリント履歴の表示が指定された場合、表示制御部４０９は履歴記憶部４２１からプリント履歴を取得してＬＣＤ４４にレポートとして表示する。
【００９８】
図１２は、プリント履歴を表示したプリント履歴表示画面の一例を示す説明図である。同図に示すように、プリント履歴表示画面には、履歴記憶部４２１から取得したプリント履歴が一覧形式で表示される。
【００９９】
また、プリント出力部４０２は、ユーザによりプリント履歴の印刷が指定された場合、履歴記憶部４２１からプリント履歴を取得してレポートとしてプリント出力する処理を行う。
【０１００】
同様に、複合機１で探索コマンド送信処理が実行された場合、探索履歴が複合機１の履歴記憶部３２１に保存される。ユーザにより探索履歴の表示が指定された場合、表示制御部３０７は、履歴記憶部３２１から探索履歴を取得してＬＣＤ４４にレポートとして表示する。
【０１０１】
図１３は、探索履歴を表示した探索履歴表示画面の一例を示す説明図である。同図に示すように、探索履歴表示画面には、履歴記憶部３２１から取得した探索履歴が一覧形式で表示される。
【０１０２】
また、プリント出力部３０８は、ユーザにより探索履歴の印刷が指定された場合、履歴記憶部３２１から探索履歴を取得してレポートとしてプリント出力する処理を行う。
【０１０３】
なお、上記説明では、ＰＣ１２〜１９は、探索コマンドを受信したときに周囲のＲＦＩＤタグ５７から媒体ＩＤを検索する処理を行っていた。これに対し、ＰＣ１２〜１９が定期的にＲＦＩＤタグ５７から媒体ＩＤを取得、保持し、探索コマンド受信時には保持した媒体ＩＤと探索コマンド内の媒体ＩＤとを照合することにより、媒体ＩＤの探索を行うように構成してもよい。
【０１０４】
すなわち、ＰＣ１２〜１９は、定期的に、接続されたＲＦＩＤリーダを動作させてＵＨＦ帯の電波を発生し、ＲＦＩＤタグ５７から読み取った識別データ（ＩＤ）を収集して自装置内の記憶部（図示せず）等に保持する。そして、複合機１０から媒体ＩＤの探索コマンドが送信されると、探索コマンドを受信した各ＰＣは、探索コマンドに含まれる媒体ＩＤと、現在保持しているＩＤとを照合して一致するか否かをチェックする。一致したＩＤが存在する場合は、自装置（ＰＣ）のホスト名を含めた探索成功レスポンスを複合機１０へ送信する。このような構成により、記録媒体の検出を探索と非同期に行うことができ、記録媒体の探索時間を短縮することが可能となる。
【０１０５】
このように、第１の実施の形態にかかる探索システムでは、受信端末から取得した媒体ＩＤを用いて、ＲＦＩＤタグから媒体ＩＤを読み取る機能を備えた多数のＰＣに対して送信端末が受信端末を介して探索コマンドを送信し、送信端末が受信端末を介して当該ＰＣから探索結果を受信することにより記録媒体の存在箇所を探索することができる。このため、記録媒体の存在を広範囲から容易に探索することができる。
【０１０６】
（第２の実施の形態）
第２の実施の形態にかかる探索システムは、送信端末から受信端末経由でＰＣに探索コマンドを送信するのではなく、送信端末から直接ＰＣに探索コマンドを送信するものである。
【０１０７】
図１４は、第２の実施の形態にかかる探索システムの構成を示すブロック図である。同図に示すように、第２の実施の形態の探索システムは、ネットワークＡ２とネットワークＢ１とに加え、ネットワークＣ１がＩＰネットワーク（ＩＰ網）２０を介して接続された構成となっている。
【０１０８】
ネットワークＣ１には、ゲートウェイ６０、パーソナルコンピュータ（ＰＣ）６１〜６３が接続されている。ゲートウェイ６０は、ゲートウェイ２およびゲートウェイ１１と同様にＩＰ網２０を介してネットワーク間の通信を可能とするルータである。ＰＣ６１〜６３は、ＰＣ１２〜１９と同様に、ＵＨＦ帯の電波を使用してＲＦＩＤタグからデータを読み取るＲＦＩＤリーダを備えている。
【０１０９】
ネットワークＡ２は、ネットワークＣ１内のＰＣ６１〜６３を検索対象とすることができる複合機１５００を備えた点が、第１の実施の形態のネットワークＡ１と異なっている。
【０１１０】
次に、複合機１５００の機能について説明する。図１５は、第２の実施の形態にかかる複合機１５００の構成を示す機能ブロック図である。同図に示すように、複合機１５００は、履歴記憶部３２１と、画像取得部３０１と、画像送信部３０２と、ＩＤ受信部３０３と、探索ＩＤ受付部３０４と、コマンド送信部１５０５と、応答受信部１５０６と、表示制御部１５０７と、プリント出力部３０８と、を備えている。
【０１１１】
第２の実施の形態では、コマンド送信部１５０５、応答受信部１５０６、および表示制御部１５０７の機能が第１の実施の形態と異なっている。その他の構成および機能は、第１の実施の形態にかかる複合機１の構成を表すブロック図である図３と同様であるので、同一符号を付し、ここでの説明は省略する。
【０１１２】
コマンド送信部１５０５は、ＰＣ１２〜１９またはＰＣ６１〜６３に対して直接探索コマンドを送信する点が、第１の実施の形態のコマンド送信部３０５と異なっている。また、応答受信部１５０６は、探索コマンドを送信した各ＰＣから応答を受信する点が、第１の実施の形態の応答受信部３０６と異なっている。
【０１１３】
表示制御部１５０７は、探索コマンド送信処理内で、探索コマンドの送信先となる装置を選択する送信宛先選択画面を表示する点が、第１の実施の形態における表示制御部３０７と異なっている。
【０１１４】
次に、第２の実施の形態における探索コマンド送信処理について説明する。なお、複合機１５００と複合機１０における画像送信処理および記録・探索処理の全体の流れは、それぞれ第１の実施の形態における画像送信処理および記録・探索処理を示すフローチャートである図８および図１１と同様であるのでその説明を省略する。図１６は、第２の実施の形態における探索コマンド送信処理の全体の流れを示すフローチャートである。
【０１１５】
ステップＳ１６０１からステップＳ１６０３までの、媒体ＩＤ受付処理は、第１の実施の形態にかかる探索システムにおけるステップＳ９０１からステップＳ９０３までと同様の処理なので、その説明を省略する。
【０１１６】
探索する媒体ＩＤを受付けると（ステップＳ１６０４）、表示制御部１５０７は、送信宛先選択画面を表示する（ステップＳ１６０５）。送信宛先選択画面には、端末番号（ＳＩＰプロキシサーバ３を使用して呼接続を行う時の宛先番号）や端末名称（端末のホスト名）を一覧形式で選択可能に表示する。なお、端末の宛先情報（端末番号または端末名称）をネットワーク（サブネット）単位毎にグループ化して登録しておき、表示制御部１５０７はこのグループを選択可能に表示するように構成してもよい。また、表示制御部１５０７は、宛先の端末番号等を表示されたテンキーや文字一覧から一文字ずつ入力する画面を表示するように構成してもよい。
【０１１７】
次に、表示制御部１５０７は、宛先が選択されたか否かを判断し（ステップＳ１６０６）、選択されていない場合は（ステップＳ１６０６：ＮＯ）、選択されるまで処理を繰り返す。選択された場合は（ステップＳ１６０６：ＹＥＳ）、コマンド送信部１５０５は、選択された宛先に探索コマンドを送信する（ステップＳ１６０７）。
【０１１８】
具体的には、コマンド送信部１５０５は、選択された１つまたは複数の宛先へ媒体ＩＤを含めた探索コマンドをＳＩＰのインスタントメッセージを使用して順次送信する。探索コマンドを表すＭＥＳＳＡＧＥメソッドの構成は図７と同様である。
【０１１９】
次に、応答受信部１５０６が、探索コマンドを送信後、所定の時間内に宛先となったＰＣから応答を受信したか否かを判断する（ステップＳ１６０８）。所定時間内に応答を受信した場合は（ステップＳ１６０８：ＹＥＳ）、表示制御部１５０７は、応答に含まれるホスト名をＬＣＤ４４に表示する（ステップＳ１６０９）。
【０１２０】
所定時間内に応答を受信しなかった場合は（ステップＳ１６０８：ＮＯ）、表示制御部１５０７は、指定した媒体ＩＤが見つからなかったことを表すメッセージをＬＣＤ４４に表示する（ステップＳ１６１０）。
【０１２１】
なお、ＰＣを探索対象とした探索は、ネットワークＢ１内のＰＣ１２〜１９が、複合機１０にプリンタ出力したプリント用紙を、他のＰＣ１２〜１９を宛先として探索する場合にも適用できる。以下に、このような場合の動作について説明する。
【０１２２】
例えば、ＰＣ１２のユーザが文書を複合機１０へのプリント出力を操作すると、ＰＣ１２にインストールされたプリンタドライバがその文書データを複合機１０へ転送する。複合機１０は受信した文書データをＲＦＩＤタグ５７が付加されたプリント用紙にプリントする。そして、複合機１０はこのプリントした紙を機械内部から外へ排出する時に、ＲＦＩＤリーダ４７を動作させてアンテナ４８からＵＨＦ帯の電波を発生して、そのプリント用紙に付加されたＲＦＩＤタグ５７から識別データ（媒体ＩＤ）を読み取る。そして、この媒体ＩＤを文書データ転送元の端末であるＰＣ１２へＳＩＰのインスタントメッセージにより送信する。ＰＣ１２は受信したこの媒体ＩＤを、先に複合機１０へプリント出力したプリント履歴情報（プリンタ名、プリント時刻、文書名、プリント部数、プリント結果等）と対応づけて自装置内に内蔵されたハードディスクに記憶する。
【０１２３】
その後、ＰＣ１２でプリント出力操作をしたユーザがプリント用紙を得るために複合機１０のところへ行ったが、そのプリント用紙を誰かが誤って持って行ったときのように、複合機１０の出力トレイ等に存在しない場合、ユーザはプリント用紙を探索するための操作を行う。すなわち、ユーザはＰＣ１２に予めインストールされたプリント用紙探索アプリケーションを起動する。すると、ＰＣ１２のハードディスクに記憶された媒体ＩＤがプリント履歴情報と対応づけてＰＣ１２に接続されたディスプレイに一覧表示される。この一覧表示の中から、ユーザにより探索する媒体ＩＤが選択されると、その媒体ＩＤを含めた探索コマンドをＰＣ１３〜１９へＳＩＰのインスタントメッセージを使用して順次送信する。この探索コマンドを表すＭＥＳＳＡＧＥメソッドの構成は図７と同様である。
【０１２４】
ＰＣ１３〜１９はこの探索コマンドを受信すると、上記と同様の処理により探索を行い、応答をＰＣ１２に送信する。ＰＣ１２は受信した探索成功レスポンスに含まれたホスト名を探索が成功したメッセージ表示とともにディスプレイに表示する。ＰＣ１２はＰＣ１３〜１９へ探索コマンドを送信した後、所定の時間が経過しても探索成功レスポンスを受信しない場合は、指定した媒体ＩＤが見つからなかったメッセージをディスプレイに表示する。
【０１２５】
このように、第２の実施の形態にかかる探索システムでは、送信端末から直接ＰＣに探索コマンドを送信することができるため、より効率的に記録媒体の探索を行うことが可能となる。
【０１２６】
（第３の実施の形態）
第３の実施の形態にかかる探索システムは、送信端末側で管理する文書データの文書ＩＤを用いて、当該文書データを出力した記録媒体の探索を可能とするものである。
【０１２７】
第３の実施の形態にかかる探索システムのネットワーク構成は、第１の実施の形態の探索システムのネットワーク構成を示す図１と同様であるのでその説明を省略する。第３の実施の形態では、ネットワークＡ１内の複合機１７００、およびネットワークＢ１内の複合機２０１０の機能が第１の実施の形態と異なっている。
【０１２８】
次に、送信端末であるネットワークＡ１内の複合機１７００の機能について説明する。図１７は、第３の実施の形態にかかる複合機１７００の構成を示す機能ブロック図である。同図に示すように、複合機１７００は、履歴記憶部１７２１と、画像取得部１７０１と、画像送信部１７０２と、探索ＩＤ受付部１７０４と、コマンド送信部１７０５と、応答受信部３０６と、表示制御部３０７と、プリント出力部３０８と、を備えている。
【０１２９】
第３の実施の形態では、ＩＤ受信部３０３を削除したことと、画像取得部１７０１、画像送信部１７０２、探索ＩＤ受付部１７０４、およびコマンド送信部１７０５の機能とが第１の実施の形態と異なっている。また、履歴記憶部１７２１の構成が第１の実施の形態と異なっている。その他の構成および機能は、第１の実施の形態にかかる複合機１の構成を表すブロック図である図３と同様であるので、同一符号を付し、ここでの説明は省略する。
【０１３０】
履歴記憶部１７２１は、媒体ＩＤに代わり、送信した画像情報の識別情報である文書ＩＤを送信履歴と対応づけて格納する点が、第１の実施の形態の履歴記憶部３２１と異なっている。
【０１３１】
画像取得部１７０１は、スキャナ３８により読取った画像情報を取得するとともに、取得した画像情報に文書ＩＤを付与するものである。
【０１３２】
画像送信部１７０２は、画像情報だけでなく、画像情報に付与された文書ＩＤを受信端末である複合機２０１０に送信するものである。第３の実施の形態では、ＩＴＵ-Ｔ勧告Ｔ.３０のＮＳＳ（Non-Standard Facilities Set-up）に文書ＩＤを含めて送信する。
【０１３３】
なお、ＩＴＵ-Ｔ勧告Ｔ.３８はＩＴＵ-Ｔ勧告Ｔ.３０で規定されたＮＳＳ等のＨＤＬＣ（High-level Data Link Control procedure）フレームをＩＦＰ（Internet Facsimile Protocol）パケットに入れ、このＩＦＰパケットをさらにＵＤＰ（User Datagram Protocol）パケットまたはＴＣＰ（Transmission Control Protocol）パケットに入れて送信する仕様となっている。図１８は、ＴＣＰパケットの場合のメッセージのデータ構造を示した説明図である。同図のＮＳＳデータ内に文書ＩＤが含まれる。図１９は、文書ＩＤを含むＮＳＳのフォーマット例を示した説明図である。文書ＩＤは３２ビットの符号なし整数で表す。
【０１３４】
図１７に戻り、探索ＩＤ受付部１７０４は、探索するプリント用紙の媒体ＩＤの代わりに、探索する画像情報の文書ＩＤの指定を受付けるものである。
【０１３５】
コマンド送信部１７０５は、探索ＩＤ受付部１７０４が受付けた文書ＩＤを含む探索コマンドを、複合機２０１０に送信するものである。すなわち、探索コマンドのメッセージボディには、媒体ＩＤの代わりに文書ＩＤが設定される。
【０１３６】
次に、受信端末であるネットワークＢ１内の複合機２０１０の機能について説明する。図２０は、第３の実施の形態にかかる複合機２０１０の構成を示す機能ブロック図である。同図に示すように、複合機２０１０は、履歴記憶部４２１と、ＩＤ記憶部２０２２と、画像受信部２００１と、プリント出力部４０２と、ＩＤ取得部２００３と、コマンド受信部４０５と、コマンド送信部２００６と、応答受信部４０７と、応答送信部４０８と、表示制御部４０９と、を備えている。
【０１３７】
第３の実施の形態では、ＩＤ送信部４０４を削除したことと、ＩＤ記憶部２０２２を追加したことと、画像受信部２００１、ＩＤ取得部２００３、およびコマンド送信部２００６の機能とが第１の実施の形態と異なっている。その他の構成および機能は、第１の実施の形態にかかる複合機１０の構成を表すブロック図である図４と同様であるので、同一符号を付し、ここでの説明は省略する。
【０１３８】
ＩＤ記憶部２０２２は、複合機１７００から送信された文書ＩＤと、プリント用紙の媒体ＩＤとを対応づけて格納するものである。図２１は、ＩＤ記憶部２０２２に格納された情報のデータ構造の一例を示す説明図である。
【０１３９】
同図に示すように、ＩＤ記憶部２０２２には、文書ＩＤと、当該文書ＩＤで識別される画像情報を出力したプリント用紙の媒体ＩＤとが対応づけて格納される。なお、画像情報が複数ページに出力されたときは、複数の媒体ＩＤが１つの文書ＩＤに対応づけられる。
【０１４０】
画像受信部２００１は、複合機１７００から画像情報を受信するとともに、当該画像情報の文書ＩＤを受信するものである。
【０１４１】
ＩＤ取得部２００３は、画像情報を可視化したプリント用紙から媒体ＩＤを取得するとともに、取得した媒体ＩＤをＩＤ記憶部２０２２に保存するものである。
【０１４２】
コマンド送信部２００６は、受信した探索コマンドに含まれる文書ＩＤに対応する媒体ＩＤをＩＤ記憶部２０２２から取得し、取得した媒体ＩＤを含む探索コマンドを生成してＰＣ１２〜１９に送信するものである。すなわち、第３の実施の形態では、送信端末からは文書ＩＤを含む探索コマンドが送信されるが、受信端末で当該文書ＩＤを対応する媒体ＩＤに変換した探索コマンドを生成し、生成した探索コマンドでプリント用紙を探索する。
【０１４３】
次に、このように構成された第３の実施の形態にかかる探索システムによる媒体探索処理について説明する。まず、画像送信処理について説明する。図２２は、第３の実施の形態における複合機１７００の画像送信処理の全体の流れを示すフローチャートである。
【０１４４】
まず、表示制御部３０７が、ＩＰ−ＦＡＸ機能により画像情報を送信する操作が入力されたか否かを判断する（ステップＳ２２０１）。操作が入力されていない場合は（ステップＳ２２０１：ＮＯ）、操作が入力されるまでステップＳ２２０１の処理を繰り返す。操作が入力された場合は（ステップＳ２２０１：ＹＥＳ）、画像取得部１７０１が、指定された原稿を読み取り、画像情報を取得するとともに、文書ＩＤを付与する（ステップＳ２２０２）。
【０１４５】
次に、画像送信部１７０２が、読み取った画像情報と文書ＩＤを複合機２０１０に送信する（ステップＳ２２０３）。文書ＩＤは、上述のようにＩＴＵ-Ｔ勧告Ｔ.３０のＮＳＳ（Non-Standard Facilities Set-up）に含めて送信する。
【０１４６】
次に、画像送信部１７０２が、送信した文書ＩＤを、送信先を特定する情報（宛先アドレス）、送信時刻、送信ページ数、送信した画像をサムネイル化（低解像度化）した画像情報、送信結果等の送信履歴と対応づけて履歴記憶部１７２１に保存し（ステップＳ２２０４）、画像送信処理を終了する。
【０１４７】
次に、記録・探索処理について説明する。図２３は、第３の実施の形態における複合機２０１０の記録・探索処理の全体の流れを示すフローチャートである。
【０１４８】
ステップＳ２３０１からステップＳ２３０３までの、画像受信処理、可視化処理、ＩＤ取得処理は、第１の実施の形態にかかる複合機１０におけるステップＳ１１０１からステップＳ１１０３までと同様の処理なので、その説明を省略する。
【０１４９】
次に、ＩＤ取得部２００３が、受信した文書ＩＤと、画像情報を印刷したプリント用紙の媒体ＩＤとを対応づけてＩＤ記憶部２０２２に保存する。このように、第３の実施の形態では、取得した媒体ＩＤを送信端末に返信せず、受信端末内に保存する点が第１の実施の形態と異なっている。
【０１５０】
ステップＳ２３０１で画像情報を受信していないと判断された場合は（ステップＳ２３０１：ＮＯ）、コマンド受信部４０５は、複合機１７００から探索コマンドを受信したか否かを判断する（ステップＳ２３０５）。
【０１５１】
探索コマンドを受信した場合は（ステップＳ２３０５：ＹＥＳ）、コマンド送信部２００６は、探索コマンド内の文書ＩＤに対応する媒体ＩＤを特定する（ステップＳ２３０６）。具体的には、コマンド送信部２００６は、ＩＤ記憶部２０２２から、文書ＩＤに対応づけられた媒体ＩＤを取得することにより対応する媒体ＩＤを特定する。
【０１５２】
次に、コマンド送信部２００６は、特定した媒体ＩＤを含む探索コマンドをＳＩＰのインスタントメッセージを使用してＰＣ１２〜１９に送信する（ステップＳ２３０７）。
【０１５３】
ステップＳ２３０８からステップＳ２３１０までの、応答受信処理、探索結果送信処理は、第１の実施の形態にかかる複合機１０におけるステップＳ１１０７からステップＳ１１０９までと同様の処理なので、その説明を省略する。
【０１５４】
なお、探索コマンド送信処理の全体の流れは、媒体ＩＤを文書ＩＤと置き換える以外は第１の実施の形態における探索コマンド送信処理を示すフローチャートである図９と同様である。例えば、ステップＳ９０２では、表示制御部３０７は、探索対象となりうる文書ＩＤを履歴記憶部１７２１から取得して一覧表示する。
【０１５５】
図２４は、複合機１７００にて文書ＩＤを表示した一覧表示画面の一例を示す説明図である。同図に示すように、一覧表示画面には、画像情報を送信した複合機２０１０を識別する情報（宛先アドレス）と、送信時刻と、送信ページ数と、送信結果と、送信した画像情報の文書ＩＤとが含まれる。
【０１５６】
このように、第３の実施の形態にかかる探索システムでは、送信端末側で管理する文書データの文書ＩＤを用いて、当該文書データを出力した記録媒体を探索することができる。このため、記憶媒体探索時のユーザの利便性をより向上させることができる。
【０１５７】
（第４の実施の形態）
第４の実施の形態にかかる探索システムは、原稿を再スキャンすることにより、当該原稿を元に出力したデータを記録した記録媒体の探索を実行するものである。
【０１５８】
第４の実施の形態にかかる探索システムのネットワーク構成は、第１の実施の形態の探索システムのネットワーク構成を示す図１と同様であるのでその説明を省略する。第４の実施の形態では、ネットワークＡ１内の複合機２５００のハードウェア構成および機能が第１の実施の形態と異なっている。
【０１５９】
第４の実施の形態の複合機２５００は、原稿の媒体ＩＤを読取るためのＲＦＩＤリーダおよびアンテナを備えている。このため、図２に示した複合機１０と同様のハードウェア構成を有する。
【０１６０】
複合機２５００は、図２と同様にＲＦＩＤリーダ４７とアンテナ４８とを備えているが、このＲＦＩＤリーダ４７とアンテナ４８とは、スキャナ３８の近傍に取り付けられており、スキャナ３８が送信原稿をスキャンしてＣＣＤから画像情報を入力した後、ＵＨＦ帯の電波を発生してその原稿に付加されたＲＦＩＤタグ５７から媒体ＩＤを読み取る。なお、ＲＦＩＤリーダ４７は１枚の原稿のみから媒体ＩＤを読み取る程度に電波の出力を抑える。すなわち、スキャナにて読み取り動作中でない原稿からは媒体ＩＤを読み取らないように構成する。
【０１６１】
次に、送信端末であるネットワークＡ１内の複合機２５００の機能について説明する。図２５は、第４の実施の形態にかかる複合機２５００の構成を示す機能ブロック図である。同図に示すように、複合機２５００は、履歴記憶部２５２１と、画像取得部２５０１と、画像送信部３０２と、ＩＤ受信部２５０３と、探索ＩＤ受付部２５０４と、コマンド送信部３０５と、応答受信部３０６と、表示制御部３０７と、プリント出力部３０８と、を備えている。
【０１６２】
第４の実施の形態では、履歴記憶部２５２１のデータ構造と、画像取得部２５０１、ＩＤ受信部２５０３、および探索ＩＤ受付部２５０４の機能とが第１の実施の形態と異なっている。その他の構成および機能は、第１の実施の形態にかかる複合機１の構成を表すブロック図である図３と同様であるので、同一符号を付し、ここでの説明は省略する。
【０１６３】
履歴記憶部２５２１は、受信した媒体ＩＤとともに、送信した画像情報の元である原稿の媒体ＩＤを送信履歴と対応づけて格納する点が、第１の実施の形態の履歴記憶部３２１と異なっている。また、送信履歴内の媒体ＩＤの取得元を特定する情報としては、媒体ＩＤの取得元（送信元）のＩＰアドレスを格納する。
【０１６４】
画像取得部２５０１は、スキャナ３８により読み取った画像情報を取得するとともに、ＲＦＩＤリーダ４７およびアンテナ４８を用いて、読取った原稿に付加されたＲＦＩＤタグ５７から媒体ＩＤを取得するものである。
【０１６５】
ＩＤ受信部２５０３は、媒体ＩＤを受信したときに、媒体ＩＤの送信元のＩＰアドレスと、媒体ＩＤと、送信した画像情報の元になった原稿の媒体ＩＤとを対応づけて履歴記憶部２５２１に保存するものである。
【０１６６】
探索ＩＤ受付部２５０４は、原稿を再度スキャンしたときに画像取得部２５０１により取得された原稿ＩＤに対応する媒体ＩＤを履歴記憶部２５２１から取得し、取得した媒体ＩＤを、探索する媒体ＩＤとして受付けるものである。
【０１６７】
次に、このように構成された第４の実施の形態にかかる探索システムによる媒体探索処理について説明する。まず、画像送信処理について説明する。図２６は、第４の実施の形態における画像送信処理の全体の流れを示すフローチャートである。
【０１６８】
ステップＳ２６０１からステップＳ２６０４までの、画像取得処理、ＩＤ受信処理は、図８に示した第１の実施の形態にかかる複合機１におけるステップＳ８０１からステップＳ８０４までと同様の処理なので、その説明を省略する。
【０１６９】
媒体ＩＤを受信後（ステップＳ２６０４）、ＩＤ受信部２５０３は、送信元ＩＰアドレスと、受信した媒体ＩＤと、対応する原稿の媒体ＩＤとを履歴記憶部２５２１に保存し（ステップＳ２６０５）、画像送信処理を終了する。
【０１７０】
次に、探索コマンド送信処理について説明する。図２７は、第４の実施の形態における探索コマンド送信処理の全体の流れを示すフローチャートである。
【０１７１】
まず、表示制御部３０７が、探索モードが選択されたか否かを判断し（ステップＳ２７０１）、選択されていない場合は（ステップＳ２７０１：ＮＯ）、選択されるまで処理を繰り返す。選択された場合は（ステップＳ２７０１：ＹＥＳ）、画像取得部２５０１が、原稿を再スキャンして原稿の媒体ＩＤを読取る（ステップＳ２７０２）。なお、画像取得部２５０１は、探索モードが指定されたときはＣＣＤによる画像情報の取得は行わず、原稿の媒体ＩＤの取得のみを行う。
【０１７２】
次に、探索ＩＤ受付部２５０４が、読取った原稿の媒体ＩＤに対応するＩＰアドレス、プリント用紙の媒体ＩＤを履歴記憶部２５２１から取得する（ステップＳ２７０３）。次に、コマンド送信部３０５が、取得したＩＰアドレスを有する複合機１０を宛先とし、取得したプリント用紙の媒体ＩＤを含む探索コマンドを送信する（ステップＳ２７０４）。
【０１７３】
ステップＳ２７０５からステップＳ２７０６までの、応答受信・表示処理は、図９に示した第１の実施の形態にかかる複合機１におけるステップＳ９０６からステップＳ９０７までと同様の処理なので、その説明を省略する。
【０１７４】
第４の実施の形態における複合機１０の記録・探索処理は、第１の実施の形態の記録探索処理を表す図１１と同様であるのでその説明を省略する。
【０１７５】
なお、探索コマンドを複合機１０に送信する代わりに、第２の実施の形態と同様に、ＰＣ１２〜１９などに直接送信するように構成してもよい。この場合は、探索モード選択後、送信宛先選択画面を表示して、探索コマンドを送信する宛先となる装置を選択する処理が追加される。
【０１７６】
このように、第４の実施の形態にかかる探索システムでは、記録媒体に可視出力したデータの元となった原稿を再スキャンすることにより記録媒体の探索を実行することができるため、探索のためのユーザの操作負担を軽減し、ユーザの利便性をより向上させることができる。
【０１７７】
（第５の実施の形態）
第５の実施の形態にかかる探索システムは、原稿の再スキャンにより、かつ送信端末側で管理する文書データの文書ＩＤを利用して、当該文書データをプリント出力した記録媒体の探索を可能とするものである。
【０１７８】
第５の実施の形態にかかる探索システムのネットワーク構成は、第１の実施の形態の探索システムのネットワーク構成を示す図１と同様であるのでその説明を省略する。第５の実施の形態では、ネットワークＡ１内の複合機２９００のハードウェア構成および機能が第１の実施の形態と異なっている。
【０１７９】
図２８は、第５の実施の形態にかかる複合機２９００のハードウェア構成の一例を示す説明図である。第５の実施の形態では、ＲＦＩＤリーダ４７の代わりにＲＦＩＤリーダ／ライタ９０を追加した点が、図２に示す複合機１０のハードウェア構成と異なっている。
【０１８０】
ＲＦＩＤリーダ／ライタ９０は、図２のＲＦＩＤリーダ４７と同様に、ＩＳＯ／ＩＥＣ１８０００-６で規定された通信仕様に従った動作を行い、アンテナ４８から８６０〜９６０ＭＨｚの周波数帯（ＵＨＦ帯）の電波を発生して、ＲＦＩＤタグ５７からデータを読み取る機能と、ＲＦＩＤタグ５７にデータを書き込む機能を併せ持っている。
【０１８１】
また、ＲＦＩＤリーダ／ライタ９０とアンテナ４８は、スキャナ３８の近傍に取り付けられており、スキャナ３８が送信原稿をスキャンしてＣＣＤから画像情報を入力した後、ＵＨＦ帯の電波を発生してその原稿に付加されたＲＦＩＤタグ５７に文書ＩＤを書き込む。なお、ＲＦＩＤリーダ／ライタ９０は１枚の原稿に対してのみ文書ＩＤを書き込む程度に電波の出力を抑える。すなわち、スキャナにて読み取り動作中でない原稿へは文書ＩＤを書き込まないように構成する。
【０１８２】
次に、複合機２９００の機能について説明する。図２９は、第５の実施の形態にかかる複合機２９００の構成を示す機能ブロック図である。同図に示すように、複合機２９００は、履歴記憶部２９２１と、画像取得部２９０１と、画像送信部３０２と、ＩＤ受信部３０３と、探索ＩＤ受付部２９０４と、コマンド送信部３０５と、応答受信部３０６と、表示制御部３０７と、プリント出力部３０８と、記録部２９０８と、を備えている。
【０１８３】
第５の実施の形態では、ＩＤ記録部２９０８を追加したことと、履歴記憶部２９２１のデータ構造と、画像取得部２９０１、および探索ＩＤ受付部２９０４の機能とが第１の実施の形態と異なっている。その他の構成および機能は、第１の実施の形態にかかる複合機１の構成を表すブロック図である図３と同様であるので、同一符号を付し、ここでの説明は省略する。
【０１８４】
履歴記憶部２９２１は、プリント用紙の媒体ＩＤと、原稿に付加した文書ＩＤと、媒体ＩＤの送信元端末である複合機１０のＩＰアドレスとを対応づけたＩＤ対応情報をさらに格納する点が、第１の実施の形態の履歴記憶部３２１と異なっている。なお、ＩＰ−ＦＡＸで送信した原稿が複数ページの場合は、そのページ数分、プリント用紙の媒体ＩＤと文書ＩＤとの対応付けを行って、履歴記憶部２９２１に記憶する。
【０１８５】
画像取得部２９０１は、スキャナ３８により読み取った画像情報を取得するとともに、取得した画像情報に文書ＩＤを付与するものである。また、画像取得部２９０１は原稿のＲＦＩＤタグ５７に記録された文書ＩＤを、ＲＦＩＤリーダ／ライタ９０およびアンテナ４８を用いて取得する。
【０１８６】
ＩＤ記録部２９０８は、ＲＦＩＤリーダ／ライタ９０を用いて、画像取得部２９０１により付与された文書ＩＤを、原稿のＲＦＩＤタグ５７に書き込むものである。
【０１８７】
探索ＩＤ受付部２９０４は、原稿を再度スキャンしたときに画像取得部２９０１により取得された文書ＩＤに対応するプリント媒体ＩＤを履歴記憶部２９２１から取得し、取得したプリント媒体ＩＤを、探索する媒体ＩＤとして受付けるものである。なお、プリント媒体ＩＤとは、画像情報を可視出力したプリント用紙に付加されたＲＦＩＤタグ５７から読取られた媒体ＩＤをいう。
【０１８８】
次に、このように構成された第５の実施の形態にかかる探索システムによる媒体探索処理について説明する。まず、画像送信処理について説明する。図３０は、第５の実施の形態における画像送信処理の全体の流れを示すフローチャートである。
【０１８９】
まず、表示制御部３０７が、ＩＰ−ＦＡＸ機能により画像情報を送信する操作が入力されたか否かを判断する（ステップＳ３００１）。操作が入力されていない場合は（ステップＳ３００１：ＮＯ）、操作が入力されるまでステップＳ３００１の処理を繰り返す。操作が入力された場合は（ステップＳ３００１：ＹＥＳ）、画像取得部２９０１が、指定された原稿を読み取り、画像情報を取得するとともに、文書ＩＤを付与する（ステップＳ３００２）。
【０１９０】
次に、ＩＤ記録部２９０８が、画像取得部２９０１により付与された文書ＩＤを、対応する原稿のＲＦＩＤタグ５７に記録する（ステップＳ３００３）。
【０１９１】
ステップＳ３００４からステップＳ３００５までの、画像送信・ＩＤ受信処理は、第４の実施の形態にかかる複合機２５００におけるステップＳ２６０３からステップＳ２６０４までと同様の処理なので、その説明を省略する。
【０１９２】
プリント媒体ＩＤを受信後（ステップＳ３００５）、ＩＤ受信部３０３は、送信元ＩＰアドレスと、受信したプリント媒体ＩＤと、対応する原稿に記録した文書ＩＤとを履歴記憶部２９２１に保存し（ステップＳ３００６）、画像送信処理を終了する。
【０１９３】
次に、探索コマンド送信処理について説明する。第５の実施の形態における探索コマンド送信処理の全体の流れは、原稿の媒体ＩＤを文書ＩＤと置き換える以外は第４の実施の形態における探索コマンド送信処理を示すフローチャートである図２７と同様である。例えば、ステップＳ２７０２で、画像取得部２５０１が原稿の媒体ＩＤを読取る代わりに、画像取得部２９０１が文書ＩＤを読取る。また、ステップＳ２７０３では、読取った文書ＩＤに対応するＩＰアドレスとプリント媒体ＩＤとを履歴記憶部２９２１から取得する。
【０１９４】
なお、第５の実施の形態における複合機１０の記録・探索処理は、第１の実施の形態の記録探索処理を表す図１１と同様であるのでその説明を省略する。
【０１９５】
また、探索コマンドを複合機１０に送信する代わりに、第２の実施の形態と同様に、ＰＣ１２〜１９などに直接送信するように構成してもよい。この場合は、探索モード選択後、送信宛先選択画面を表示して、探索コマンドを送信する宛先となる装置を選択する処理が追加される。
【０１９６】
また、上記説明では、原稿のＲＦＩＤタグ５７から読取った文書ＩＤに対応する媒体ＩＤを履歴記憶部２９２１から取得し、取得した媒体ＩＤの探索を行っていた。これに対し、第３の実施の形態と同様に、読取った文書ＩＤを含む探索コマンドによって探索を行うように構成してもよい。
【０１９７】
このように、第５の実施の形態にかかる探索システムでは、原稿に書き込んだ文書ＩＤを再スキャンにより取得し、取得した文書ＩＤに対応する媒体ＩＤを用いて記録媒体の探索を行うことができるため、探索のためのユーザの操作負担を軽減するとともに、ユーザの利便性をより向上させることができる。
【０１９８】
（第６の実施の形態）
第６の実施の形態にかかる探索システムは、記録媒体の廃棄を管理する廃棄管理装置、または記録媒体を粉砕する粉砕装置を探索対象として加え、記録媒体の存在だけでなく、記録媒体の廃棄や粉砕を把握可能とするものである。
【０１９９】
図３１は、第６の実施の形態にかかる探索システムの構成を示すブロック図である。同図に示すように、第６の実施の形態の探索システムは、ネットワークＡ３とネットワークＢ２とがＩＰネットワーク（ＩＰ網）２０を介して接続された構成となっている。
【０２００】
ネットワークＡ３には複合機３２００、ゲートウェイ２、ＳＩＰプロキシサーバ３および図示しないパーソナルコンピュータ（ＰＣ）等が接続されている。ネットワークＢ２は、複合機１０、ゲートウェイ１１、パーソナルコンピュータ（ＰＣ）１２〜１９に加え、文書廃棄監視装置１００と、シュレッダ１０１とが追加された点が第１の実施の形態のネットワークＢ１と異なっている。
【０２０１】
文書廃棄監視装置１００は、文書廃棄スペースに設置され、当該スペースに置かれたＲＦＩＤタグ付きのプリント用紙を探索可能な装置である。また、シュレッダ１０１は、プリント用紙を粉砕する装置である。
【０２０２】
文書廃棄監視装置１００とシュレッダ１０１には、ＵＨＦ帯の電波を発生して、紙に付加されたＲＦＩＤタグから媒体ＩＤを読み取るＲＦＩＤリーダとアンテナが内蔵されている。また、文書廃棄監視装置１００とシュレッダ１０１は、ＳＩＰのインスタントメッセージを使用した通信が実行できるようになっている。
【０２０３】
シュレッダ１０１は、紙を粉砕する直前に、ＲＦＩＤリーダを動作させてアンテナからＵＨＦ帯の電波を発生して、その紙に付加されたＲＦＩＤタグから媒体ＩＤを読み取る。そして、この媒体ＩＤはシュレッダ１０１に内蔵されたフラッシュＲＯＭ（電源を切ってもデータが消去されず、電気的に消去（書き換え）可能なＲＯＭ）に記憶される。
【０２０４】
次に、ネットワークＡ３の複合機３２００の機能について説明する。なお、ネットワークＢ２内の複合機１０の機能は第１の実施の形態と同様であるのでその説明を省略する。
【０２０５】
図３２は、第６の実施の形態にかかる複合機３２００の構成を示す機能ブロック図である。同図に示すように、複合機３２００は、履歴記憶部３２１と、画像取得部３０１と、画像送信部３０２と、ＩＤ受信部３０３と、探索ＩＤ受付部３０４と、コマンド送信部３０５と、応答受信部３２０６と、表示制御部３０７と、プリント出力部３０８と、を備えている。
【０２０６】
第６の実施の形態では、応答受信部３２０６の機能が第１の実施の形態と異なっている。その他の構成および機能は、第１の実施の形態にかかる複合機１の構成を表すブロック図である図３と同様であるので、同一符号を付し、ここでの説明は省略する。
【０２０７】
応答受信部３２０６は、探索結果の送信元が文書廃棄監視装置１００またはシュレッダ１０１であった場合に、文書廃棄または文書粉砕を表す情報を履歴記憶部３２１に格納する点が、第１の実施の形態の応答受信部３０６と異なっている。
【０２０８】
複合機３２００にてユーザが文書廃棄監視装置１００を宛先として紙ＩＤの探索操作を行うと、複合機３２００から文書廃棄監視装置１００に紙ＩＤの探索コマンドを送信する。文書廃棄監視装置１００はこの探索コマンドを受信すると、内蔵されたＲＦＩＤリーダを動作させてＵＨＦ帯の電波を発生する。これにより、識別データ（ＩＤ）の応答が得られた場合は、このＩＤが複合機３２００から受信した探索コマンドに含まれた紙ＩＤと一致するか否かをチェックする。一致する場合には、自端末（文書廃棄監視装置１００）のホスト名を含めた探索成功レスポンスを複合機３２００へ送信する。
【０２０９】
また、複合機３２００にてユーザがシュレッダ１０１を宛先として紙ＩＤの探索操作を行うと、複合機３２００からシュレッダ１０１に紙ＩＤの探索コマンドを送信する。シュレッダ１０１はこの探索コマンドを受信すると、この探索コマンドに含まれた紙ＩＤがフラッシュＲＯＭに記憶されているか否かをチェックする。記憶されている場合には、自端末（シュレッダ１０１）のホスト名を含めた探索成功レスポンスを複合機３２００へ送信する。
【０２１０】
複合機３２００の応答受信部３２０６は、探索成功レスポンスに含まれた端末名（ホスト名）から探索結果の送信元が文書廃棄監視装置１００であると判断すると、探索履歴に文書廃棄を表すデータを付加して履歴記憶部３２１に保存する。また、応答受信部３２０６は、探索成功レスポンスに含まれた端末名（ホスト名）から探索結果の送信元がシュレッダ１０１であると判断すると、探索履歴に文書粉砕を表すデータを付加して履歴記憶部３２１に保存する。
【０２１１】
第６の実施の形態では、上述のように探索履歴として文書廃棄および文書粉砕を表すデータを保存できるため、ユーザはプリント用紙の存在だけでなく、廃棄または粉砕されたことを把握することができるという利点がある。
【０２１２】
例えば、複合機３２００でユーザにより媒体ＩＤの探索履歴の表示操作が行われると、表示制御部３０７は履歴記憶部３２１に記憶された探索履歴を取得してＬＣＤ４４にレポートとして表示する。また、複合機３２００でユーザにより媒体ＩＤの探索履歴のプリントが指定された場合、プリント出力部３０８は履歴記憶部３２１に記憶された探索履歴を取得してレポートとしてプリント出力する処理を行う。このとき、探索履歴に文書廃棄を表すデータが付加されている場合には、その媒体ＩＤのプリント欄に「廃棄」の文字を印字させ、探索履歴に文書粉砕を表すデータが付加されている場合には、その媒体ＩＤのプリント欄に「粉砕」の文字を印字させる。
【０２１３】
このように、第６の実施の形態にかかる探索システムでは、記録媒体の廃棄を管理する廃棄管理装置、または記録媒体を粉砕する粉砕装置を対象として探索を行うことができるため、記録媒体の存在だけでなく、記録媒体の廃棄や粉砕を把握することが可能となる。
【０２１４】
（第７の実施の形態）
第７の実施の形態にかかる探索システムは、ＲＦＩＤから媒体ＩＤを読み取る機能を備えた携帯電話等の携帯端末に探索コマンドを送信し、当該携帯端末から探索結果を受信することにより記録媒体の存在箇所を探索するものである。
【０２１５】
図３３は、第７の実施の形態にかかる探索システムの構成を示すブロック図である。同図に示すように、第７の実施の形態の探索システムは、ネットワークＡ２とネットワークＢ１とに加え、網間ゲートウェイ（ＧＷ）１２１を介して携帯電話網１２０がＩＰ網２０と接続された構成となっている。
【０２１６】
網間ＧＷ１２１は、携帯電話網１２０で使用されているプロトコルとＩＰ網２０で使用されているプロトコルを変換するゲートウェイ装置であり、トランスポートレイヤのＴＣＰについては、携帯電話網１２０で使用されているＷ−ＴＣＰ（TCP profile over W-CDMA）とＩＰ網２０で使用されているＴＣＰを相互に変換する。
【０２１７】
携帯電話網１２０には、ＳＩＰ機能を備えた携帯電話１１０、携帯電話１１１、携帯電話１１２、および携帯電話１１３と、図示しないＳＩＰプロキシサーバが含まれる。このＳＩＰプロキシサーバは、ＳＩＰのインスタントメッセージを各携帯電話へ送信する。
【０２１８】
携帯電話１１０、携帯電話１１１、携帯電話１１２、および携帯電話１１３は携帯電話網１２０を利用してＳＩＰのインスタントメッセージを送受信するとともに、図２のＲＦＩＤリーダ４７と同様に、ＩＳＯ／ＩＥＣ１８０００-６で規定された通信仕様に従った動作を行うＲＦＩＤリーダを内蔵している。これにより各携帯電話は、アンテナから８６０〜９６０ＭＨｚの周波数帯（ＵＨＦ帯）の電波を発生して、ＲＦＩＤタグ５７からデータを読み取ることができる。
【０２１９】
ネットワークＡ２は、第２の実施の形態と同様に、ＰＣ等を直接探索対象として指定できる複合機１５００を備えている。複合機１５００の機能は、第２の実施の形態にかかる複合機１５００の構成を表すブロック図である図１５と同様であるので、同一符号を付し、ここでの説明は省略する。
【０２２０】
また、第７の実施の形態における探索コマンド送信処理は、第２の実施の形態の探索コマンド送信処理を表す図１６と同様であるのでその説明を省略する。なお、第７の実施の形態では、探索コマンドの送信先として携帯電話１１０〜１１３を指定できるようになっている。
【０２２１】
例えば、複合機１５００のユーザにより任意の媒体ＩＤが選択され、宛先として携帯電話１１０、携帯電話１１１、携帯電話１１２、携帯電話１１３の電話番号が選択されると、携帯電話１１０〜１１３の各宛先毎に、各携帯電話の電話番号を宛先として含めた媒体ＩＤの探索コマンドをＳＩＰのインスタントメッセージを使用してＳＩＰプロキシサーバ３へ送信する。
【０２２２】
ＳＩＰプロキシサーバ３は宛先が携帯電話であると判断すると、これらの探索コマンド（ＳＩＰのインスタントメッセージ）を携帯電話網１２０に存在するＳＩＰプロキシサーバへ転送する。携帯電話網１２０に存在するＳＩＰプロキシサーバは、受信した携帯電話１１０宛の探索コマンド（ＳＩＰのインスタントメッセージ）を携帯電話１１０へ送信する。同様に、携帯電話網１２０に存在するＳＩＰプロキシサーバは、携帯電話１１１、携帯電話１１２、または携帯電話１１３宛の探索コマンド（ＳＩＰのインスタントメッセージ）をそれぞれ携帯電話１１１、携帯電話１１２、携帯電話１１３へ送信する。
【０２２３】
携帯電話１１０〜１１３はこの探索コマンドを受信すると、内蔵されたＲＦＩＤリーダを動作させてアンテナからＵＨＦ帯の電波を発生させる。これにより、媒体ＩＤが得られた場合は、この媒体ＩＤが複合機１５００から受信した探索コマンドに含まれた媒体ＩＤと一致するか否かをチェックする。一致する場合には、自端末（携帯電話）の携帯電話番号を含めた探索成功レスポンスを複合機１５００へＳＩＰのインスタントメッセージを使用して送信する。複合機１５００は受信した探索成功レスポンスに含まれた携帯電話番号を探索が成功したメッセージ表示とともにＬＣＤ４４に表示する。なお、携帯電話の端末識別情報として携帯電話番号を使用する代わりに、Ｅメールアドレスを使用するように構成してもよい。
【０２２４】
このように、第７の実施の形態にかかる探索システムでは、存在場所が特定されない携帯端末を対象として記録媒体の探索を行えるため、媒体ＩＤが付加されたプリント用紙を持ち歩いているユーザや、不特定の領域を対象として容易に記録媒体を探索可能となる。
【０２２５】
（第８の実施の形態）
第８の実施の形態にかかる探索システムは、送信端末に接続されたＰＣからＩＰ−ＦＡＸによる送信依頼および記録媒体の探索コマンドを送信するものである。
【０２２６】
図３４は、第８の実施の形態にかかる探索システムの構成を示すブロック図である。同図に示すように、第８の実施の形態の探索システムは、ネットワークＡ４とネットワークＢ１と、ネットワークＣ１とがＩＰ網２０で接続された構成となっている。
【０２２７】
ネットワークＡ４には、複合機３５００、ゲートウェイ２、ＳＩＰプロキシサーバ３、ＰＣ１３０が接続されている。ＰＣ１３０には、ネットワークＡ４内の複合機３５００のＩＰ−ＦＡＸ送信ドライバソフトがインストールされており、ＰＣ１３０内の文書をこのＩＰ−ＦＡＸ送信ドライバソフトを使用して、複合機３５００を経由して任意の宛先へＩＰ−ＦＡＸ送信することができる。
【０２２８】
次に、複合機３５００の機能について説明する。図３５は、第８の実施の形態にかかる複合機３５００の構成を示す機能ブロック図である。同図に示すように、複合機３５００は、画像取得部３５０１と、画像送信部３０２と、ＩＤ受信部３０３と、ＩＤ送信部３５０９と、を備えている。
【０２２９】
第８の実施の形態では、履歴記憶部３２１、探索ＩＤ受付部３０４、コマンド送信部３０５、応答受信部３０６、表示制御部３０７、およびプリント出力部３０８を削除したことと、ＩＤ送信部３５０９を追加したことと、画像取得部３５０１の機能が第１の実施の形態と異なっている。その他の構成および機能は、第１の実施の形態にかかる複合機１の構成を表すブロック図である図３と同様であるので、同一符号を付し、ここでの説明は省略する。
【０２３０】
画像取得部３５０１は、ＰＣ１３０から送信された画像情報を取得するものである。ＩＤ送信部３５０９は、受信した媒体ＩＤをＰＣ１３０に送信するものである。
【０２３１】
次に、このように構成された第８の実施の形態にかかる探索システムによる媒体探索処理について説明する。まず、画像送信処理について説明する。図３６は、第８の実施の形態における複合機３５００の画像送信処理の全体の流れを示すフローチャートである。
【０２３２】
まず、画像取得部３５０１が、ＰＣ１３０からＩＰ−ＦＡＸ送信が依頼されたか否かを判断し（ステップＳ３６０１）、依頼されていない場合は（ステップＳ３６０１：ＮＯ）、依頼を受信するまで処理を繰り返す（ステップＳ３６０１）。
【０２３３】
ＩＰ−ＦＡＸ送信が依頼された場合は（ステップＳ３６０１：ＹＥＳ）、画像取得部３５０１はＰＣ１３０から送信する画像を取得する（ステップＳ３６０２）。次に、画像送信部３０２は、取得した画像をＰＣ１３０で指定された宛先に送信する（ステップＳ３６０３）。
【０２３４】
次に、ＩＤ受信部３０３が、複合機１０から返信された記録媒体の媒体ＩＤを受信する（ステップＳ３６０４）。続いて、ＩＤ送信部３５０９が、受信した媒体ＩＤをＰＣ１３０に送信し（ステップＳ３６０５）、画像送信処理を終了する。
【０２３５】
なお、ＰＣ１３０では以下のような操作により、ＩＰ−ＦＡＸ送信の依頼処理が実行される。
【０２３６】
まず、ユーザは文書編集ソフト等を用いて任意の文書を表示させる。そして、印刷用ウィンドウを開いて、プリンタの選択で複合機３５００のＩＰ−ＦＡＸ送信ドライバ名を選択する。続いて、ＩＰ−ＦＡＸの送信宛先を入力して送信ボタンをクリックすると、ＰＣ１３０のＩＰ−ＦＡＸ送信ドライバソフトは表示した文書をＴＩＦＦ（Tagged Image File Format）形式のファイルに変換し、宛先に関する情報である送信宛先データとともにＴＩＦＦファイルを複合機３５００へ送信する。複合機３５００はこのＴＩＦＦファイルを指定された宛先へＩＰ−ＦＡＸ送信する（ステップＳ３６０３）。
【０２３７】
例えば、ネットワークＡ４内のユーザは、ＩＰ−ＦＡＸの送信宛先をネットワークＢ１内の複合機１０の端末番号として送信ボタンをクリックする。すると、ＰＣ１３０はＴＩＦＦファイルを複合機１０の端末番号とともに複合機３５００へ送信する。複合機３５００はこのＴＩＦＦファイルを複合機１０へＩＰ−ＦＡＸ送信する。
【０２３８】
複合機１０による処理は第１の実施の形態と同様であり、以下のようになる。まず、複合機１０は、受信したＴＩＦＦファイルをＲＦＩＤタグ５７が付加されたプリント用紙にプリントする。そして、複合機１０はプリント用紙を機械内部から外へ排出する時に、ＲＦＩＤリーダ４７を動作させてアンテナ４８からＵＨＦ帯の電波を発生して、プリント用紙に付加されたＲＦＩＤタグ５７から識別データ（媒体ＩＤ）を読み取る。そして、読取った媒体ＩＤをＩＰ−ＦＡＸの送信元端末である複合機３５００へ送信する。
【０２３９】
複合機３５００は、受信した媒体ＩＤをＩＰ−ＦＡＸの送信結果とともに、ＩＰ−ＦＡＸ送信依頼元であるＰＣ１３０へ送信する（ステップＳ３６０５）。
【０２４０】
ＰＣ１３０は受信した媒体ＩＤをＩＰ−ＦＡＸの送信結果とともにディスプレイに表示するとともに、この媒体ＩＤを送信履歴（宛先アドレス、送信時刻、送信ページ数、送信した画像をサムネイル化（低解像度化）した画像情報、送信結果等）と対応づけて内蔵されたハードディスクに記憶する。
【０２４１】
なお、探索コマンドによるプリント用紙の探索処理は、ＰＣ１３０と、他のＰＣ１２〜１９、ＰＣ６１〜６３等との間で直接実行される。以下にこの探索処理について説明する。
【０２４２】
例えば、ネットワークＡ４内のユーザによりＰＣ１３０で媒体ＩＤの探索アプリケーションが起動されると、ハードディスクに記憶された媒体ＩＤを送信履歴と対応づけてディスプレイに一覧表示する。この一覧表示の中から、ユーザにより媒体ＩＤが選択されると、ＰＣ１３０はその媒体ＩＤを含めた探索コマンドの送信宛先を選択、あるいは入力するウィンドウをディスプレイに表示する。
【０２４３】
この宛先選択は、端末番号（ＳＩＰプロキシサーバ３を使用して呼接続を行う時の宛先番号）や端末名称（端末のホスト名）の一覧から選択する方法を用いてもよいし、端末の宛先情報（端末番号または端末名称）をネットワーク（サブネット）単位毎にグループ化して登録しておき、このグループを選択する方法を用いてもよい。
【０２４４】
１つまたは複数の宛先が選択されると、それらの宛先へ媒体ＩＤを含めた探索コマンドを送信する。この送信先は例えば、ネットワークＢ１内のＰＣ１２〜１９、ネットワークＣ１内のＰＣ６１〜６３である。ＰＣ１２〜１９およびＰＣ６１〜６３は、探索コマンドを受信すると、接続されたＲＦＩＤリーダを動作させてＵＨＦ帯の電波を発生する。これにより、識別データ（ＩＤ）の応答が得られたＰＣは、このＩＤが受信した探索コマンドに含まれた媒体ＩＤと一致するか否かをチェックする。一致する場合には、自装置（ＰＣ）のホスト名を含めた探索成功レスポンスをＰＣ１３０へ送信する。ＰＣ１３０は受信した探索成功レスポンスに含まれたホスト名を探索が成功したメッセージ表示とともにディスプレイに表示する。
【０２４５】
ＰＣ１３０は、探索コマンドを送信した後、所定の時間が経過しても探索成功レスポンスを受信しない場合は、指定した媒体ＩＤが見つからなかったことを表すメッセージをディスプレイに表示する。
【０２４６】
このように、第８の実施の形態にかかる探索システムでは、送信端末に接続されたＰＣから画像データの送信および記録媒体の探索を行えるため、記録媒体探索時のユーザの利便性をより向上させることができる。
【０２４７】
（第９の実施の形態）
第９の実施の形態にかかる探索システムは、コピー機能によりデータを記録媒体にプリント出力したときに、記録媒体を識別する媒体ＩＤを取得し、取得した媒体ＩＤを用いて記録媒体を探索可能とするものである。
【０２４８】
図３７は、第９の実施の形態にかかる探索システムの構成を示すブロック図である。同図に示すように、第９の実施の形態の探索システムは、複合機３９１０とＰＣ１２〜１９がＬＡＮなどのネットワークで接続された構成となっている。
【０２４９】
ＰＣ１２〜１９には、第１の実施の形態と同様に、ＵＨＦ帯の電波を使用してＲＦＩＤタグからデータを読み取るＲＦＩＤリーダが接続されている。
【０２５０】
図３８は、第９の実施の形態にかかる複合機３９１０のハードウェア構成の一例を示す説明図である。複合機３９１０は、図２に示す複合機１０のハードウェア構成に対して、ＲＦＩＤリーダ／ライタ１５０、アンテナ１５１が追加された構成になっている。
【０２５１】
ＲＦＩＤリーダ／ライタ１５０は、図２８に示した第５の実施の形態のＲＦＩＤリーダ／ライタ９０と同様の機能を有するものである。また、アンテナ１５１とＲＦＩＤタグ１５２は、それぞれ図２に記載のアンテナ４８、ＲＦＩＤタグ５７と同様の機能を有するものである。
【０２５２】
ＲＦＩＤリーダ／ライタ１５０とアンテナ１５１は、スキャナ３８の近傍に取り付けられており、スキャナ３８から入力された画像情報をプリントエンジン４０にてプリントする時に、ＲＦＩＤリーダ４７が読み取ったプリント媒体ＩＤを、原稿に付加されたＲＦＩＤタグ１５２に書き込む。
【０２５３】
次に、複合機３９１０の機能について説明する。図３９は、第９の実施の形態にかかる複合機３９１０の構成を示す機能ブロック図である。同図に示すように、複合機３９１０は、履歴記憶部４２１と、画像取得部３９０１と、プリント出力部４０２と、ＩＤ取得部３９０３と、ＩＤ記録部３９０４と、コマンド送信部４０６と、応答受信部４０７と、表示制御部４０９と、を備えている。
【０２５４】
第９の実施の形態では、ＩＤ送信部４０４、コマンド受信部４０５、および応答送信部４０８を削除したことと、ＩＤ記録部３９０４を追加したことと、画像取得部３９０１とＩＤ取得部３９０３の機能とが第１の実施の形態と異なっている。その他の構成および機能は、第１の実施の形態にかかる複合機１０の構成を表すブロック図である図４と同様であるので、同一符号を付し、ここでの説明は省略する。
【０２５５】
画像取得部３９０１は、コピーが指定され、スキャナ３８で読取られた原稿の画像情報を取得するものである。ＩＤ取得部３９０３は、ＲＦＩＤリーダ４７およびアンテナ４８を用いて、画像情報をプリント出力したプリント用紙から媒体ＩＤ（プリント媒体ＩＤ）を取得するとともに、ＲＦＩＤリーダ／ライタ１５０およびアンテナ１５１を用いて、原稿の媒体ＩＤを取得するものである。
【０２５６】
ＩＤ記録部３９０４は、ＩＤ取得部３９０３により取得されたプリント用紙の媒体ＩＤを、原稿のＲＦＩＤタグ１５２に記録するものである。
【０２５７】
次に、このように構成された第９の実施の形態にかかる探索システムによる媒体探索処理について説明する。第９の実施の形態の媒体探索処理は、画像情報をコピーするコピー処理と、コピーしたプリント用紙を探索する探索コマンド送信処理とに分けられる。図４０は、第９の実施の形態におけるコピー処理の全体の流れを示すフローチャートである。
【０２５８】
まず、画像取得部３９０１が、ユーザによりコピー実行の操作が入力されたか否かを判断する（ステップＳ４００１）。コピー実行が入力されていない場合は（ステップＳ４００１：ＮＯ）、コピー実行が入力されるまでステップＳ４００１の処理を繰り返す。コピー実行が入力された場合は（ステップＳ４００１：ＹＥＳ）、画像取得部３９０１が、指定された原稿を読み取り、画像情報を取得する（ステップＳ４００２）。
【０２５９】
次に、プリント出力部４０２が、取得した画像情報をＲＦＩＤ５７が付加されたプリント用紙に印刷する（ステップＳ４００３）。
【０２６０】
次に、ＩＤ取得部３９０３が、印刷したプリント用紙に付加されたＲＦＩＤ５７からプリント媒体ＩＤを取得する（ステップＳ４００４）。この時点では、原稿はまだスキャナ３８の画像情報入力部分（原稿に光を照射してＣＣＤから画像情報を入力する動作を行う部分）に存在する。
【０２６１】
続いて、ＩＤ記録部３９０４が、ＩＤ取得部３９０３により取得されたプリント媒体ＩＤを、ＲＦＩＤリーダ／ライタ１５０を利用して原稿のＲＦＩＤタグ１５２に記録し（ステップＳ４００５）、コピー処理を終了する。
【０２６２】
なお、ＲＦＩＤリーダ／ライタ１５０は１枚の原稿に対してのみプリント媒体ＩＤを書き込む程度に電波の出力を抑える。すなわち、スキャナ３８の画像情報入力部分以外に存在する原稿へはプリント媒体ＩＤを書き込まないように構成する。
【０２６３】
次に、探索コマンド送信処理について説明する。図４１は、第９の実施の形態における探索コマンド送信処理の全体の流れを示すフローチャートである。
【０２６４】
まず、表示制御部４０９が、探索モードが選択されたか否かを判断し（ステップＳ４１０１）、選択されていない場合は（ステップＳ４１０１：ＮＯ）、選択されるまで処理を繰り返す。選択された場合は（ステップＳ４１０１：ＹＥＳ）、ＩＤ取得部３９０３が、原稿を再スキャンして原稿のＲＦＩＤタグ１５２からプリント媒体ＩＤを読取る（ステップＳ４１０２）。なお、探索モードが指定されたときは、画像取得部３９０１はＣＣＤによる画像情報の取得は行わない。
【０２６５】
次に、表示制御部４０９は、第２の実施の形態と同様の送信宛先選択画面を表示する（ステップＳ４１０３）。
【０２６６】
次に、表示制御部４０９は、宛先が選択されたか否かを判断し（ステップＳ４１０４）、選択されていない場合は（ステップＳ４１０４：ＮＯ）、選択されるまで処理を繰り返す。選択された場合は（ステップＳ４１０４：ＹＥＳ）、コマンド送信部４０６は、選択された宛先に探索コマンドを送信する（ステップＳ４１０５）。
【０２６７】
具体的には、コマンド送信部４０６は、選択された１または複数の宛先へ、読取られたプリント媒体ＩＤを含めた探索コマンドをＳＩＰのインスタントメッセージを使用して順次送信する。
【０２６８】
次に、探索コマンドを送信後、応答受信部４０７が所定の時間内に宛先となったＰＣから応答を受信したか否かを判断する（ステップＳ４１０６）。所定時間内に応答を受信した場合は（ステップＳ４１０６：ＹＥＳ）、表示制御部４０９は、応答に含まれるホスト名をＬＣＤ４４に表示する（ステップＳ４１０７）。
【０２６９】
所定時間内に応答を受信しなかった場合は（ステップＳ４１０６：ＮＯ）、表示制御部４０９は、指定した媒体ＩＤが見つからなかったことを表すメッセージをＬＣＤ４４に表示する（ステップＳ４１０８）。
【０２７０】
このように、第９の実施の形態にかかる探索システムでは、コピー機能によりデータを記録媒体にプリント出力したとき取得した媒体ＩＤを用いて、ＲＦＩＤから媒体ＩＤを読み取る機能を備えた多数のＰＣに対して複合機が探索コマンドを送信し、複合機が当該ＰＣから探索結果を受信することにより記録媒体の存在箇所を探索することができる。このため、記録媒体の存在を広範囲から容易に探索することができる。
【０２７１】
（第１０の実施の形態）
第１０の実施の形態にかかる探索システムは、電子ペーパーにデータを出力し、データを出力した電子ペーパーを探索するものである。
【０２７２】
図４２−１は、第１０の実施の形態にかかる探索システムの構成を示すブロック図である。同図に示すように、第１０の実施の形態の探索システムは、ネットワークＡ６とネットワークＢ４とがＩＰ網２０で接続された構成となっている。ネットワークＡ６には、複合機４３００、ゲートウェイ２、ＳＩＰプロキシサーバ３が接続され、ネットワークＢ４には、複合機４４１０、ゲートウェイ１１、ＰＣ１６１〜ＰＣ１６８が接続されている。ネットワークＢ４内には、複合機４４１０とＢｌｕｅｔｏｏｔｈ通信できる位置に電子ペーパー１７０が存在している。
【０２７３】
ネットワークＡ６に接続されたゲートウェイ２とＳＩＰプロキシサーバ３、ネットワークＢ４に接続されたゲートウェイ１１、およびＩＰ網２０は第１の実施の形態の探索システムのネットワーク構成を示す図１と同様であるのでその説明を省略する。
【０２７４】
本実施の形態のＰＣ１６１〜ＰＣ１６８は、ＲＦＩＤリーダの代わりに、Ｂｌｕｅｔｏｏｔｈ用ＰＣカード（PCMCIAカード）が装着されており、ＬＡＮを介した通信の他に、Ｂｌｕｅｔｏｏｔｈ規格に準拠した無線通信を実行することができる。
【０２７５】
次に、ネットワークＢ４内の複合機４４１０のハードウェア構成について説明する。なお、ネットワークＡ６内の複合機４３００内のハードウェア構成は、第１の実施の形態と同様である。
【０２７６】
図４２−２は、第１０の実施の形態にかかる複合機４４１０のハードウェア構成の一例を示す説明図である。複合機４４１０は、図２に示した第１の実施の形態の複合機１０のハードウェア構成に対し、ＲＦＩＤリーダ４７とアンテナ４８が削除され、代わりにＵＡＲＴ（Universal Asynchronous Receiver Transmitter）１８０、Ｂｌｕｅｔｏｏｔｈモジュール１８１、アンテナ１８２が追加されている。ＵＡＲＴ１８０は、ＣＰＵ３０とＢｌｕｅｔｏｏｔｈモジュール１８１との間でシリアルデータの授受を行うインターフェースであり、ＦＩＦＯ(First In,First Out)やシフトレジスタ等から構成される。Ｂｌｕｅｔｏｏｔｈモジュール１８１は、ＲＦ（Radio Frequency）部とベースバンド部から構成されており、Ｂｌｕｅｔｏｏｔｈ規格に準拠した無線通信を実行する。
【０２７７】
次に、送信端末であるネットワークＡ６内の複合機４３００の機能について説明する。図４３は、第１０の実施の形態にかかる複合機４３００の構成を示す機能ブロック図である。同図に示すように、複合機４３００は、履歴記憶部３２１と、画像取得部３０１と、画像送信部４３０２と、ＩＤ受信部３０３と、探索ＩＤ受付部３０４と、コマンド送信部４３０５と、応答受信部３０６と、表示制御部３０７と、プリント出力部３０８と、を備えている。
【０２７８】
第１０の実施の形態では、画像送信部４３０２およびコマンド送信部４３０５の機能が第１の実施の形態と異なっている。その他の構成および機能は、第１の実施の形態にかかる複合機１の構成を表すブロック図である図３と同様であるので、同一符号を付し、ここでの説明は省略する。
【０２７９】
画像送信部４３０２は、取得した画像情報とともに、ユーザにより指定された電子ペーパー１７０のユーザ名を複合機４４１０に送信するものである。コマンド送信部４３０５は、探索する媒体ＩＤ（機器ＩＤ）とともに、電子ペーパー１７０のユーザ名を含む探索コマンドを複合機４４１０に送信するものである。なお、ユーザ名はＳＩＰのＭＥＳＳＡＧＥメソッドの形式で表された探索コマンドのメッセージボディに、例えば「UserName=（ユーザ名）」のような書式のテキストを追加することにより送信する。
【０２８０】
次に、受信端末であるネットワークＢ４内の複合機４４１０の機能について説明する。図４４は、第１０の実施の形態にかかる複合機４４１０の構成を示す機能ブロック図である。同図に示すように、複合機４４１０は、履歴記憶部４２１と、画像受信部４０１と、画像転送部４４０２と、ＩＤ取得部４４０３と、ＩＤ送信部４０４と、コマンド受信部４０５と、コマンド送信部４０６と、応答受信部４０７と、応答送信部４０８と、表示制御部４０９と、を備えている。
【０２８１】
第１０の実施の形態では、プリント出力部４０２に代わって画像転送部４４０２が追加され、およびＩＤ取得部４４０３の機能が第１の実施の形態と異なっている。その他の構成および機能は、第１の実施の形態にかかる複合機１０の構成を表すブロック図である図４と同様であるので、同一符号を付し、ここでの説明は省略する。
【０２８２】
画像転送部４４０２は、画像受信部４０１が取得した画像情報を、電子ペーパー１７０に転送するものである。具体的には、画像転送部４４０２は、電子ペーパー１７０とＢｌｕｅｔｏｏｔｈ規格に準拠した接続手順を実行してＯＢＥＸ(OBject EXchange)セッションを確立し、複合機４３００から受信した画像情報を電子ペーパー１７０へファイル転送する。
【０２８３】
ＩＤ取得部４４０３は、ＵＡＲＴ１８０、Ｂｌｕｅｔｏｏｔｈモジュール１８１、およびアンテナ１８２を用いて、電子ペーパー１７０の媒体ＩＤに相当する機器ＩＤを取得するものである。具体的には、ＩＤ取得部４４０３は、ＯＢＥＸセッションでオブジェクトプッシュにより電子ペーパー１７０から送信された機器ＩＤを取得する。
【０２８４】
ここで、図４４に示した電子ペーパー１７０について説明する。図４５は、電子ペーパー１７０の外観の一例を示した説明図である。同図に示すように、電子ペーパー１７０は矩形の外観を有しており、タッチペン１７１などにより操作を受付けることができる構成となっている。
【０２８５】
図４６は、電子ペーパー１７０のハードウェア構成の一例を示した説明図である。同図に示すように、電子ペーパー１７０は、ＣＰＵ２００、クロック２０１、メインメモリ２０２、フラッシュＲＯＭ２０３、ＵＡＲＴ２０４、Ｂｌｕｅｔｏｏｔｈモジュール２０５、アンテナ２０６、ＲＴＣ２０７、表示コントローラ２０８、電気泳動型ディスプレイ２０９、タッチパネルコントローラ２１０、タッチパネル２１１、ＵＳＢ（Universal Serial Bus）コントローラ２１２、ＵＳＢ  Ｉ／Ｆ２１３、システムバス２１４、図示を省略したバッテリ等から構成されている。
【０２８６】
ＣＰＵ２００は、フラッシュＲＯＭ２０３に記憶された制御処理プログラムを実行および処理するものである。クロック２０１は、水晶発振子と分周回路から構成されており、ＣＰＵ２００やシステムバス２１４の動作タイミングを制御するためのクロックを生成している。メインメモリ２０２は、ＤＲＡＭより構成されており、ＣＰＵ２００のワークエリア等で使用される。フラッシュＲＯＭ２０３は、システム全体の制御を行うためのプログラムや外部機器から受信した画像等のファイルを記憶する。ＵＡＲＴ２０４、Ｂｌｕｅｔｏｏｔｈモジュール２０５、アンテナ２０６はそれぞれ上述のＵＡＲＴ１８０、Ｂｌｕｅｔｏｏｔｈモジュール１８１、アンテナ１８２と同様の構成を有する。
【０２８７】
ＲＴＣ２０７は、日付時計であり、専用バッテリ（図示を省略）によりバックアップされている。表示コントローラ２０８は、文字や画像情報を電気泳動型ディスプレイ２０９に表示するための制御を行う。電気泳動型ディスプレイ２０９は、基材面にコーティングされた透明なマイクロカプセルの中に正に帯電した白の粒子と負に帯電した黒の粒子が存在し、電圧を掛けて白の粒子と黒の粒子を逆方向に移動させることで表示する。タッチパネルコントローラ２１０は、タッチパネル２１１上でタッチペン１７１のペン先が接触した部分を検出し、その位置情報を取り込む。タッチパネル２１１は電気泳動型ディスプレイ２０９と重ね合わせて密着している。ＵＳＢコントローラ２１２はＵＳＢ規格に準拠したデータ転送を実行、制御する。
【０２８８】
電子ペーパー１７０は、バッテリにより動作するが、電源を切っても電気泳動型ディスプレイ２０９の表示データは消えず、表示データはそのまま保持される。また、電子ペーパー１７０は、Ｂｌｕｅｔｏｏｔｈモジュール２０５を使用して、Ｂｌｕｅｔｏｏｔｈ搭載機器とデータ通信する。また、電子ペーパー１７０には、ユーザ名と世の中に一意となるＩＤ（機器ＩＤ）が付与されて、フラッシュＲＯＭ２０３に記憶されている。
【０２８９】
次に、このように構成された第１０の実施の形態にかかる探索システムによる画像送信処理および媒体探索処理について説明する。まず、画像送信処理について説明する。図４７は、第１０の実施の形態における画像送信処理の全体の流れを示すフローチャートである。
【０２９０】
まず、表示制御部３０７が、ＩＰ−ＦＡＸ機能により画像情報を送信する操作が入力されたか否かを判断する（ステップＳ４７０１）。なお、電子ペーパーに対するＩＰ−ＦＡＸ送信を行う場合、ユーザは電子ペーパー１７０のユーザ名と複合機４４１０の端末番号（ＳＩＰプロキシサーバ３を使用して呼接続を行う時の宛先番号）を指定してＩＰ−ＦＡＸの送信操作を行う。
【０２９１】
操作が入力されていない場合は（ステップＳ４７０１：ＮＯ）、操作が入力されるまでステップＳ４７０１の処理を繰り返す。操作が入力された場合は（ステップＳ４７０１：ＹＥＳ）、画像取得部３０１が、指定された原稿を読み取り、画像情報を取得する（ステップＳ４７０２）。
【０２９２】
次に、画像送信部４３０２は、読取った画像と、指定されたユーザ名とを複合機４４１０に送信する（ステップＳ４７０３）。
【０２９３】
次に、ＩＤ受信部３０３が、複合機４４１０から返信された電子ペーパーの機器ＩＤを媒体ＩＤとして受信し（ステップＳ４７０４）、画像送信処理を終了する。
【０２９４】
次に、複合機４４１０における転送・探索処理について説明する。図４８は、第１０の実施の形態における転送・探索処理の全体の流れを示すフローチャートである。
【０２９５】
まず、画像受信部４０１は、複合機４３００から画像情報を受信したか否かを判断する（ステップＳ４８０１）。画像情報を受信した場合は（ステップＳ４８０１：ＹＥＳ）、画像転送部４４０２が、電子ペーパー１７０からユーザ名を取得する（ステップＳ４８０２）。具体的には、画像転送部４４０２は、Ｂｌｕｅｔｏｏｔｈのインクワイアリ手順により電子ペーパー１７０を認識して、電子ペーパー１７０からユーザ名を取得する。
【０２９６】
次に、画像転送部４４０２が電子ペーパー１７０から取得したユーザ名と、画像情報とともに複合機４３００から受信したユーザ名とが一致するか否かを判断する（ステップＳ４８０３）。一致しない場合は（ステップＳ４８０３：ＮＯ）、ステップＳ４８０１に戻って処理を繰り返す。
【０２９７】
一致した場合は（ステップＳ４８０３：ＹＥＳ）、画像転送部４４０２は、受信した画像情報を電子ペーパー１７０に転送する（ステップＳ４８０４）。具体的には、画像転送部４４０２は電子ペーパー１７０との間で確立したＯＢＥＸセッションを利用して画像情報を電子ペーパー１７０へ転送する。
【０２９８】
電子ペーパー１７０は受信した画像情報を電気泳動型ディスプレイ２０９に表示する。また、電子ペーパー１７０はファイル転送が終了すると、ＯＢＥＸセッションでオブジェクトプッシュにより自装置の機器ＩＤを複合機４４１０へ送信する。
【０２９９】
次に、ＩＤ取得部４４０３が、オブジェクトプッシュにより電子ペーパー１７０から送信された機器ＩＤを取得する（ステップＳ４８０５）。
【０３００】
続いて、ＩＤ送信部４０４が、取得した機器ＩＤを送信元である複合機４３００に送信し（ステップＳ４８０６）、情報受信判定処理に戻って処理を繰り返す（ステップＳ４８０１）。
【０３０１】
ステップＳ４８０１で、画像情報を受信していないと判断された場合は（ステップＳ４８０１：ＮＯ）、コマンド受信部４０５は、複合機４３００から探索コマンドを受信したか否かを判断する（ステップＳ４８０７）。
【０３０２】
ステップＳ４８０７からステップＳ４８１１までの、探索コマンド受信・送信処理、応答受信・送信処理は、第１の実施の形態にかかる探索システムにおけるステップＳ１１０５からステップＳ１１０９までと同様の処理なので、その説明を省略する。
【０３０３】
また、複合機４３００で実行される探索コマンド送信処理は、媒体ＩＤを機器ＩＤに置き換え、またステップＳ９０５でユーザ名を含む探索コマンドを送信する以外、第１の実施の形態における探索コマンド送信処理を表す図９と同様であるのでその説明を省略する。
【０３０４】
なお、ステップＳ４８０８で探索コマンドを送信されたネットワークＢ４内のＰＣ１６１〜ＰＣ１６８は、まず、Ｂｌｕｅｔｏｏｔｈのインクワイアリ手順によりＢｌｕｅｔｏｏｔｈ通信できる電子ペーパー１７０を認識して、その電子ペーパー１７０からユーザ名を取得する。そして、取得したユーザ名が、複合機４４１０から受信した探索コマンドに含まれた電子ペーパーのユーザ名と一致する場合には、その電子ペーパー１７０とＢｌｕｅｔｏｏｔｈ規格に準拠した接続手順を実行してＯＢＥＸセッションを確立し、オブジェクトプッシュによりその電子ペーパー１７０の機器ＩＤを取得する。さらに、取得した機器ＩＤと複合機４４１０から受信した探索コマンドに含まれた機器ＩＤとが一致する場合は、自装置（ＰＣ）のホスト名を含めた探索成功レスポンスを複合機４４１０へ送信する。
【０３０５】
上記説明では、第１の実施の形態と同様に、受信端末である複合機４４１０を介して各ＰＣに探索コマンドを送信していたが、第２の実施の形態のように、送信端末である複合機４３００から直接各ＰＣに探索コマンドを送信するように構成してもよい。
【０３０６】
なお、電子ペーパー１７０のユーザ名は適宜変更されたり、同じユーザ名が複数の電子ペーパー１７０に登録されていたりするため、電子ペーパー１７０の探索では上記のように機器ＩＤを使用する。
【０３０７】
このように、第１０の実施の形態にかかる探索システムでは、紙媒体以外の記録媒体である電子ペーパーを対象として探索を行うことができる。
【０３０８】
（第１１の実施の形態）
第１１の実施の形態にかかる探索システムは、データの可視出力依頼を他の複合機に転送可能とするとともに、可視出力した記録媒体の探索コマンドも他の複合機に転送可能とするものである。
【０３０９】
図４９は、第１１の実施の形態にかかる探索システムの構成を示すブロック図である。同図に示すように、第１１の実施の形態の探索システムは、ネットワークＡ５とネットワークＢ３とがＩＰネットワーク（ＩＰ網）２０を介して接続されている。また、ネットワークＢ３は、インターネット２４０を介してネットワークＤ１と接続されている。
【０３１０】
このようなネットワーク構成は、社内のＩＰ網２０を介してＩＰ−ＦＡＸ通信により受信した画像情報を、インターネット２４０を介してさらに別の受信端末へＩＰ−ＦＡＸ通信により転送する場合を想定している。すなわち、社内のＩＰ網２０のセキュリティを高めるため、社内のＩＰ網とインターネットとの間にＮＡＴ（Network Address Translation）機能を持ったルータ（ファイアウォール）であるＮＡＴルータ２２１を設置している。そして、社内の複合機５２１０は、ＮＡＴルータ２２１とインターネットを介して社外の複合機２３１とＩＰ−ＦＡＸ通信やＳＩＰのインスタントメッセージの送受信を実行できるようになっている。
【０３１１】
ネットワークＡ５内の複合機５０００は、複合機５２１０を介して複合機２３１にＩＰ−ＦＡＸ通信により画像情報を転送することを指定する機能を有する。ネットワークＢ３内の複合機５２１０は、コピー機能、プリンタ機能、ＩＰ−ＦＡＸ機能の他に、ＩＰ−ＦＡＸで受信した画像情報を、指定された宛先へＩＰ−ＦＡＸで送信する機能（ＩＰ−ＦＡＸ転送機能）を備えている。
【０３１２】
ネットワークＢ３内のＮＡＴルータ２２１と、ネットワークＤ１内のＮＡＴルータ２３０はＮＡＴ機能として、ＡＬＧ（Application Layer Gateway）とスペシャルアプリケーションポートマッピングの機能を持っている。
【０３１３】
ＡＬＧはＩＰパケットヘッダやＳＩＰメッセージ内のプライベートＩＰアドレスとグローバルＩＰアドレスとを相互に変換するものである。スペシャルアプリケーションポートマッピングは、任意のアプリケーションを持った端末のプライベートＩＰアドレスを任意のポート番号に対応づけて、グローバルＩＰアドレスの端末からそのポート番号宛に送信されたパケットをポート番号に対応付けられたプライベートＩＰアドレス宛に転送するものである。
【０３１４】
ＮＡＴルータ２２１とＮＡＴルータ２３０は、プライベートネットワークからグローバルネットワークへ転送されるパケットについてはＡＬＧが、またグローバルネットワークからプライベートネットワークへ転送されるパケットについてはスペシャルアプリケーションポートマッピングの機能が働くようになっている。
【０３１５】
また、ＮＡＴルータ２２１とＮＡＴルータ２３０は、インターネット接続サービスを提供しているインターネットサービスプロバイダから与えられたグローバルＩＰアドレスが設定されている。
【０３１６】
ネットワークＤ１には、コピー機能、プリンタ機能、ＩＰ−ＦＡＸ機能、媒体ＩＤの探索機能を備えた複合機２３１や、パーソナルコンピュータ（ＰＣ）２３２〜２３４が接続されている。
【０３１７】
複合機２３１のハードウェア構成は図２と同様である。ＰＣ２３２〜２３４にはＵＨＦ帯の電波を使用してＲＦＩＤタグからデータを読み取るＲＦＩＤリーダが接続されている。なお、本実施の形態では、ＮＡＴルータ２２１とＮＡＴルータ２３０のみにグローバルＩＰアドレスが設定されており、他の機器はプライベートＩＰアドレスが設定されている。
【０３１８】
次に、複合機５０００および複合機５２１０の機能について説明する。図５０は、第１１の実施の形態にかかる複合機５０００の構成を示す機能ブロック図である。同図に示すように、複合機５０００は、履歴記憶部５３２１と、画像取得部３０１と、画像送信部５００２と、ＩＤ受信部３０３と、探索ＩＤ受付部３０４と、コマンド送信部５００５と、応答受信部３０６と、表示制御部３０７と、プリント出力部３０８と、を備えている。
【０３１９】
第１１の実施の形態では、履歴記憶部５３２１のデータ構造と、画像送信部５００２およびコマンド送信部５００５の機能とが第１の実施の形態と異なっている。その他の構成および機能は、第１の実施の形態にかかる複合機１の構成を表すブロック図である図３と同様であるので、同一符号を付し、ここでの説明は省略する。
【０３２０】
履歴記憶部５３２１は、画像情報を他の複合機を介して転送することが指定された場合、転送先ＩＰアドレスの情報をさらに含む送信履歴を格納する点が、第１の実施の形態の履歴記憶部３２１と異なっている。すなわち、履歴記憶部５３２１は、受信した媒体ＩＤ、媒体ＩＤの取得元を特定する情報（宛先アドレス）、送信時刻、送信ページ数、送信した画像をサムネイル化（低解像度化）した画像情報、送信結果に加え、転送先ＩＰアドレスを格納している。
【０３２１】
画像送信部５００２は、画像情報を他の複合機を介して転送することが指定された場合、画像情報を転送する指示情報（転送する/しない識別情報と転送先ＩＰアドレス）を送信する機能を備えた点が、第１の実施の形態の画像送信部３０２と異なっている。なお、画像送信部５００２は、転送の指示情報をＩＴＵ-Ｔ勧告Ｔ.３０のＮＳＳに含めて送信する。
【０３２２】
図５１は、転送の指示情報を含むＮＳＳのフォーマット例を示した説明図である。同図の例では、転送先アドレスはＩＰｖ４アドレスであり、このＩＰアドレスはバイナリ形式で表している。
【０３２３】
コマンド送信部５００５は、転送された画像情報をプリント出力した記録媒体を探索する場合、転送先ＩＰアドレスを含む探索コマンドを送信する点が、第１の実施の形態のコマンド送信部３０５と異なっている。
【０３２４】
図５２は、第１１の実施の形態にかかる複合機５２１０の構成を示す機能ブロック図である。同図に示すように、複合機５２１０は、履歴記憶部４２１と、画像受信部４０１と、プリント出力部４０２と、ＩＤ取得部５２０３と、ＩＤ送信部４０４と、コマンド受信部４０５と、コマンド送信部５２０６と、応答受信部５２０７と、応答送信部４０８と、画像転送部５２０９と、を備えている。
【０３２５】
第１１の実施の形態では、画像転送部５２０９を備えたことと、ＩＤ取得部５２０３、コマンド送信部５２０６、および応答受信部５２０７の機能とが第１の実施の形態と異なっている。その他の構成および機能は、第１の実施の形態にかかる複合機１０の構成を表すブロック図である図４と同様であるので、同一符号を付し、ここでの説明は省略する。
【０３２６】
画像転送部５２０９は、画像受信部４０１が取得した画像情報を、転送の指示情報に従って転送先アドレスで特定される複合機（複合機２３１等）に転送するものである。ＩＤ取得部５２０３は、ＲＦＩＤリーダ４７およびアンテナ４８を用いて画像情報をプリントしたプリント用紙から媒体ＩＤを取得したり、転送先の複合機から返信された媒体ＩＤを受信するものである。
【０３２７】
コマンド送信部５２０６は、コマンド受信部４０５により受信した探索コマンドを、転送の指示情報に従って転送先アドレスで特定される複合機（複合機２３１等）に転送する機能をさらに備えている。応答受信部５２０７は、転送先の複合機から返信された探索結果を受信するものである。
【０３２８】
次に、このように構成された第１１の実施の形態にかかる探索システムによる媒体探索処理について説明する。送信端末である複合機５０００による画像送信処理は、画像情報とともに転送の指示情報を送信する以外、第１の実施の形態の画像送信処理である図８と同様であるのでその説明を省略する。また、複合機５０００による探索コマンド送信処理は、探索コマンドに転送の指示情報を含めて送信する以外、第１の実施の形態の探索コマンド送信処理である図９と同様であるのでその説明を省略する。
【０３２９】
次に、複合機５２１０による転送・探索処理について説明する。図５３は、第１１の実施の形態における転送・探索処理の全体の流れを示すフローチャートである。
【０３３０】
まず、画像受信部４０１は、複合機５０００から画像情報を受信したか否かを判断する（ステップＳ５３０１）。画像情報を受信した場合は（ステップＳ５３０１：ＹＥＳ）、画像情報の転送の指示情報が含まれているか否かを判断する（ステップＳ５３０２）。ステップＳ５３０２で、転送の指示情報が含まれていると判断した場合は（ステップＳ５３０２：ＹＥＳ）、画像転送部５２０９が、受信した指示情報に含まれる転送先ＩＰアドレスを宛先として画像情報を転送する（ステップＳ５３０３）。
【０３３１】
次に、ＩＤ取得部５２０３が、転送先の複合機から返信された媒体ＩＤを取得する（ステップＳ５３０４）。続いて、ＩＤ送信部４０４が、取得した媒体ＩＤを送信元である複合機５０００に送信し（ステップＳ５３０５）、情報受信判定処理に戻って処理を繰り返す（ステップＳ５３０１）。
【０３３２】
ステップＳ５３０２で、転送の指示情報が含まれていないと判断した場合は（ステップＳ５３０２：ＮＯ）、プリント出力部４０２が、受信した画像情報をＲＦＩＤタグ５７が付加されたプリント用紙に印刷する（ステップＳ５３０６）。そして、ＩＤ取得部４０３が、印刷したプリント用紙に付加されたＲＦＩＤタグ５７から媒体ＩＤを取得する（ステップＳ５３０７）。続いて、ＩＤ送信部４０４が、取得した媒体ＩＤを送信元である複合機５０００に送信し（ステップＳ５３０８）、情報受信判定処理に戻って処理を繰り返す（ステップＳ５３０１）。
【０３３３】
ステップＳ５３０１で、画像情報を受信していないと判断された場合は（ステップＳ５３０１：ＮＯ）、コマンド受信部４０５は、複合機５０００から探索コマンドを受信したか否かを判断する（ステップＳ５３０９）。
【０３３４】
探索コマンドを受信した場合は（ステップＳ５３０９：ＹＥＳ）、そのコマンドに転送先アドレスが含まれているか否かを判断する（ステップＳ５３１０）。転送先アドレスが含まれている場合は（ステップＳ５３１０：ＹＥＳ）、コマンド送信部５２０６は、受信した探索コマンドを、探索コマンドに含まれる転送先ＩＰアドレスで特定される複合機に転送する（ステップＳ５３１１）。
【０３３５】
次に、応答受信部５２０７が、転送先から探索結果を受信し（ステップＳ５３１２）、応答送信部４０８が、受信した探索結果を送信元端末に送信し（ステップＳ５３１３）、情報受信判定処理に戻って処理を繰り返す（ステップＳ５３０１）。
【０３３６】
ステップＳ５３１０で、転送先アドレスが含まれていないと判断した場合は（ステップＳ５３１０：ＮＯ）、コマンド送信部４０６は、受信した探索コマンドをＳＩＰのインスタントメッセージを使用してＰＣ１２〜１９に送信する（ステップＳ５３１４）。
【０３３７】
次に、応答受信部４０７が、探索コマンドを送信後、所定の時間内にＰＣ１２〜１９から探索結果（応答）を受信したか否かを判断する（ステップＳ５３１５）。
【０３３８】
所定時間内に応答を受信した場合は（ステップＳ５３１５：ＹＥＳ）、応答送信部４０８は、探索成功レスポンスを、探索コマンドの送信元である複合機５０００に送信する（ステップＳ５３１６）。所定時間内に応答を受信しなかった場合は（ステップＳ５３１５：ＮＯ）、応答送信部４０８は、探索失敗レスポンスを、探索コマンドの送信元である複合機５０００に送信する（ステップＳ５３１７）。
【０３３９】
応答送信部４０８が応答を送信後（ステップＳ５３１６、ステップＳ５３１７）、またはステップＳ５３０９で探索コマンドを受信していないと判断された場合は（ステップＳ５３０９：ＮＯ）、情報受信判定処理に戻って処理を繰り返す（ステップＳ５３０１）。
【０３４０】
次に、このように構成された探索システムによる媒体探索処理の具体例について説明する。以下では、ネットワークＡ５内のユーザがＩＰ−ＦＡＸ機能を利用して複合機５０００からネットワークＢ３内の複合機５２１０を経由してネットワークＤ１内の複合機２３１に画像情報を送信する場合を例として説明する。
【０３４１】
複合機５０００のユーザにより、転送を実行する複合機（転送機）として複合機５２１０のＦＡＸ番号、および、転送先として複合機２３１のアドレス（ＮＡＴルータ２３０のグローバルＩＰアドレスに複合機２３１用のポート番号を付加したもの）を指定したＩＰ−ＦＡＸの送信操作が行われると、複合機５０００はＳＩＰプロキシサーバ３を使用して複合機５２１０と呼接続し、ＩＰ−ＦＡＸ通信を実行して画像情報を伝送する（図８のステップＳ８０３）。
【０３４２】
複合機５２１０は画像情報を受信すると、この画像情報をプリントせずに、転送先として指定された宛先（宛先アドレスはＮＡＴルータ２３０のグローバルＩＰアドレス、宛先ポート番号は複合機２３１用のポート番号）へＩＰ−ＦＡＸ通信により送信する（ステップＳ５３０３）。なお、ＮＡＴルータ２２１とＮＡＴルータ２３０は１つのプライベートＩＰアドレスに対して複数のポート番号を対応付けることが可能で、呼接続用と画像情報伝送用とで別々のポート番号を使用することができる。
【０３４３】
複合機２３１は、受信した画像情報をＲＦＩＤタグ５７が付加されたプリント用紙にプリントする。そして、複合機２３１はこのプリントした紙を機械内部から外へ排出する時に、ＲＦＩＤリーダ４７を動作させてアンテナ４８からＵＨＦ帯の電波を発生して、そのプリント用紙に付加されたＲＦＩＤタグ５７から識別データ（媒体ＩＤ）を読み取る。なお、ＲＦＩＤリーダ４７は１枚のプリント用紙のみから媒体ＩＤを読み取る程度に電波の出力を抑える。そして、複合機２３１は、読取った媒体ＩＤをＩＰ−ＦＡＸの転送元端末である複合機５２１０へＳＩＰのインスタントメッセージにより送信する。
【０３４４】
複合機５２１０は、受信したこの媒体ＩＤをＩＰ−ＦＡＸの送信元端末である複合機５０００へＳＩＰのインスタントメッセージにより送信する（ステップＳ５３０５）。
【０３４５】
複合機５０００は、受信したこの媒体ＩＤを、先に複合機５２１０へＩＰ−ＦＡＸ送信した送信履歴（宛先アドレス、転送先ＩＰアドレス、送信時刻、送信ページ数、送信した画像をサムネイル化（低解像度化）した画像情報、送信結果等）と対応づけて履歴記憶部５３２１に記憶する。
【０３４６】
次に、ネットワークＡ５内のユーザにより複合機５０００で媒体ＩＤの探索モードが選択されると（図９のステップＳ９０１：ＹＥＳ）、履歴記憶部５３２１に記憶された媒体ＩＤを送信履歴と対応づけて複合機５０００のＬＣＤ４４に一覧表示する。ＬＣＤ４４の一覧表示の中から、ユーザにより媒体ＩＤが選択されると（ステップＳ９０３：ＹＥＳ）、選択された媒体ＩＤを含めた探索コマンドを送信履歴内の宛先（複合機５２１０）へ送信する（ステップＳ９０５）。なお、この探索コマンドにＩＰ−ＦＡＸ送信した送信履歴内の転送先ＩＰアドレスを含める。
【０３４７】
複合機５２１０は、受信した探索コマンドを転送先である複合機２３１へ送信する（ステップＳ５３１１）。複合機２３１は探索コマンドを受信すると、探索コマンドをＰＣ２３２〜２３４へ送信する。
【０３４８】
ＰＣ２３２〜２３４は、探索コマンドを受信すると、接続されたＲＦＩＤリーダを動作させてＵＨＦ帯の電波を発生する。これにより、識別データ（ＩＤ）の応答が得られたＰＣは、得られたＩＤが複合機２３１から受信した探索コマンドに含まれる媒体ＩＤと一致するか否かをチェックする。一致する場合には、自装置（ＰＣ）のホスト名を含めた探索成功レスポンスを複合機２３１へ送信する。複合機２３１は、受信した探索成功レスポンスを複合機５２１０へ送信する。
【０３４９】
複合機５２１０は、受信した探索成功レスポンスを複合機５０００へ送信する（ステップＳ５３１３）。複合機５０００は、受信した探索成功レスポンスに含まれたホスト名を探索が成功したメッセージ表示とともにＬＣＤ４４に表示する（ステップＳ９０７）。
【０３５０】
このように、第１１の実施の形態にかかる探索システムでは、データの可視出力依頼や探索コマンドを他の複合機に転送することができるため、不特定多数のＰＣ等を対象として広範囲に記録媒体の探索を行うことができる。また、セキュリティの問題等により目的の端末へ直接データやコマンドの送信が実行できない環境でも、記録媒体の探索を実行可能となる。
【０３５１】
（変形例）
上記の各実施の形態では、画像情報の送信方法としてＩＰ−ＦＡＸを使用する場合を示したが、ＩＴＵ-Ｔ勧告Ｔ．３７に準拠した送信方法など、他の通信方法を利用するように構成してもよい。
【０３５２】
また、上記の各実施の形態では、媒体ＩＤや機器ＩＤの通知や探索コマンド、探索成功レスポンス、探索失敗レスポンスを送信するプロトコルとしてＳＩＰのインスタントメッセージを例に挙げたが、ＳＩＰの代わりにＳＯＡＰ（Simple Object Access Protocol）を使用することも可能である。
【０３５３】
さらに、上記の各実施の形態では、ＲＦＩＤタグ５７（インレット）をラベルに埋め込み、このラベルが貼り付けられているプリント用紙を使用する場合を示したが、ＲＦＩＤタグ５７（インレット）が紙の中に抄き込まれたプリント用紙を使用することも可能である。
【産業上の利用可能性】
【０３５４】
以上のように、本発明にかかる受信端末、可視情報複写端末、送信端末および探索システムは、ＲＦＩＤが付加された記録紙や電子ペーパーに画像を可視出力する画像形成装置、画像形成システムに適している。
【図面の簡単な説明】
【０３５５】
【図１】第１の実施の形態にかかる探索システムの構成を示すブロック図である。
【図２】複合機のハードウェア構成の一例を示す説明図である。
【図３】第１の実施の形態にかかる複合機の構成を示す機能ブロック図である。
【図４】第１の実施の形態にかかる複合機の構成を示す機能ブロック図である。
【図５】ＲＦＩＤタグからデータを読み取ることができる範囲の例を示す説明図である。
【図６】通知メッセージのデータ構造の一例を示す説明図である。
【図７】探索コマンドのデータ構造の一例を示す説明図である。
【図８】第１の実施の形態における画像送信処理の全体の流れを示すフローチャートである。
【図９】第１の実施の形態における探索コマンド送信処理の全体の流れを示すフローチャートである。
【図１０】一覧表示画面の一例を示す説明図である。
【図１１】第１の実施の形態における記録・探索処理の全体の流れを示すフローチャートである。
【図１２】プリント履歴を表示したプリント履歴表示画面の一例を示す説明図である。
【図１３】探索履歴を表示した探索履歴表示画面の一例を示す説明図である。
【図１４】第２の実施の形態にかかる探索システムの構成を示すブロック図である。
【図１５】第２の実施の形態にかかる複合機の構成を示す機能ブロック図である。
【図１６】第２の実施の形態における探索コマンド送信処理の全体の流れを示すフローチャートである。
【図１７】第３の実施の形態にかかる複合機の構成を示す機能ブロック図である。
【図１８】メッセージのデータ構造を示した説明図である。
【図１９】文書ＩＤを含むＮＳＳのフォーマット例を示した説明図である。
【図２０】第３の実施の形態にかかる複合機の構成を示す機能ブロック図である。
【図２１】ＩＤ記憶部に格納された情報のデータ構造の一例を示す説明図である。
【図２２】第３の実施の形態における画像送信処理の全体の流れを示すフローチャートである。
【図２３】第３の実施の形態における記録・探索処理の全体の流れを示すフローチャートである。
【図２４】一覧表示画面の一例を示す説明図である。
【図２５】第４の実施の形態にかかる複合機の構成を示す機能ブロック図である。
【図２６】第４の実施の形態における画像送信処理の全体の流れを示すフローチャートである。
【図２７】第４の実施の形態における探索コマンド送信処理の全体の流れを示すフローチャートである。
【図２８】第５の実施の形態にかかる複合機のハードウェア構成の一例を示す説明図である。
【図２９】第５の実施の形態にかかる複合機の構成を示す機能ブロック図である。
【図３０】第５の実施の形態における画像送信処理の全体の流れを示すフローチャートである。
【図３１】第６の実施の形態にかかる探索システムの構成を示すブロック図である。
【図３２】第６の実施の形態にかかる複合機の構成を示す機能ブロック図である。
【図３３】第７の実施の形態にかかる探索システムの構成を示すブロック図である。
【図３４】第８の実施の形態にかかる探索システムの構成を示すブロック図である。
【図３５】第８の実施の形態にかかる複合機の構成を示す機能ブロック図である。
【図３６】第８の実施の形態における画像送信処理の全体の流れを示すフローチャートである。
【図３７】第９の実施の形態にかかる探索システムの構成を示すブロック図である。
【図３８】第９の実施の形態にかかる複合機のハードウェア構成の一例を示す説明図である。
【図３９】第９の実施の形態にかかる複合機の構成を示す機能ブロック図である。
【図４０】第９の実施の形態におけるコピー処理の全体の流れを示すフローチャートである。
【図４１】第９の実施の形態における探索コマンド送信処理の全体の流れを示すフローチャートである。
【図４２−１】第１０の実施の形態にかかる探索システムの構成を示すブロック図である。
【図４２−２】第１０の実施の形態にかかる複合機のハードウェア構成の一例を示す説明図である。
【図４３】第１０の実施の形態にかかる複合機の構成を示す機能ブロック図である。
【図４４】第１０の実施の形態にかかる複合機の構成を示す機能ブロック図である。
【図４５】電子ペーパーの外観の一例を示した説明図である。
【図４６】電子ペーパーのハードウェア構成の一例を示した説明図である。
【図４７】第１０の実施の形態における画像送信処理の全体の流れを示すフローチャートである。
【図４８】第１０の実施の形態における転送・探索処理の全体の流れを示すフローチャートである。
【図４９】第１１の実施の形態にかかる探索システムの構成を示すブロック図である。
【図５０】第１１の実施の形態にかかる複合機の構成を示す機能ブロック図である。
【図５１】指示情報を含むＮＳＳのフォーマット例を示した説明図である。
【図５２】第１１の実施の形態にかかる複合機の構成を示す機能ブロック図である。
【図５３】第１１の実施の形態における転送・探索処理の全体の流れを示すフローチャートである。
【符号の説明】
【０３５６】
１  複合機
２  ゲートウェイ
３  ＳＩＰプロキシサーバ
１０  複合機
１１  ゲートウェイ
１２、１３、１４、１５、１６、１７、１８、１９  ＰＣ
２０  ＩＰ網
３０  ＣＰＵ
３１  メインメモリ
３２  ＲＯＭ
３３  クロック
３４  バスコントローラ
３５  ＰＣＩブリッジ
３６  キャッシュメモリ
３７  スキャナコントローラ
３８  スキャナ
３９  プリントコントローラ
４０  プリントエンジン
４１  ハードディスク
４２  ＨＤコントローラ
４３  ＬＣＤ表示コントローラ
４４  ＬＣＤ
４５  ＬＡＮコントローラ
４６  ＬＡＮ  Ｉ／Ｆ
４７  ＲＦＩＤリーダ
４８  アンテナ
４９  キー入力コントローラ
５０  ハードキー
５１  タッチパネルコントローラ
５２  タッチパネル
５３  ＲＴＣ
５４  ＣＰＵバス
５５  ＰＣＩバス
５６  Ｘバス
５７  ＲＦＩＤタグ
６０  ゲートウェイ
６１、６２、６３  ＰＣ
９０  ＲＦＩＤリーダ／ライタ
１００  文書廃棄監視装置
１０１  シュレッダ
１１０、１１１、１１２、１１３  携帯電話
１２０  携帯電話網
１２１  網間ＧＷ
１５０  ＲＦＩＤリーダ／ライタ
１５１  アンテナ
１５２  ＲＦＩＤタグ
１７０  電子ペーパー
１７１  タッチペン
１８０  ＵＡＲＴ
１８１  Ｂｌｕｅｔｏｏｔｈモジュール
１８２  アンテナ
２００  ＣＰＵ
２０１  クロック
２０２  メインメモリ
２０３  フラッシュＲＯＭ
２０４  ＵＡＲＴ
２０５  Ｂｌｕｅｔｏｏｔｈモジュール
２０６  アンテナ
２０７  ＲＴＣ
２０８  表示コントローラ
２０９  電気泳動型ディスプレイ
２１０  タッチパネルコントローラ
２１１  タッチパネル
２１２  ＵＳＢコントローラ
２１３  ＵＳＢ  Ｉ／Ｆ
２１４  システムバス
２２１  ＮＡＴルータ
２３０  ＮＡＴルータ
２３１  複合機
２３２、２３３、２３４  ＰＣ
２４０  インターネット
３０１  画像取得部
３０２  画像送信部
３０３  ＩＤ受信部
３０４  探索ＩＤ受付部
３０５  コマンド送信部
３０６  応答受信部
３０７  表示制御部
３０８  プリント出力部
３２１  履歴記憶部
４０１  画像受信部
４０２  プリント出力部
４０３  ＩＤ取得部
４０４  ＩＤ送信部
４０５  コマンド受信部
４０６  コマンド送信部
４０７  応答受信部
４０８  応答送信部
４０９  表示制御部
４２１  履歴記憶部
５０１  領域
１５００  複合機
１５０５  コマンド送信部
１５０６  応答受信部
１５０７  表示制御部
１７００  複合機
１７０１  画像取得部
１７０２  画像送信部
１７０４  探索ＩＤ受付部
１７０５  コマンド送信部
１７２１  履歴記憶部
２００１  画像受信部
２００３  ＩＤ取得部
２００６  コマンド送信部
２０１０  複合機
２０２２  ＩＤ記憶部
２５００  複合機
２５０１  画像取得部
２５０３  ＩＤ受信部
２５０４  探索ＩＤ受付部
２５２１  履歴記憶部
２９００  複合機
２９０１  画像取得部
２９０４  探索ＩＤ受付部
２９０８  ＩＤ記録部
２９２１  履歴記憶部
３２００  複合機
３２０６  応答受信部
３５００  複合機
３５０１  画像取得部
３５０９  ＩＤ送信部
３９０１  画像取得部
３９０３  ＩＤ取得部
３９０４  ＩＤ記録部
３９１０  複合機
４３００  複合機
４３０２  画像送信部
４３０５  コマンド送信部
４４０２  画像転送部
４４０３  ＩＤ取得部
４４１０  複合機
５０００  複合機
５００２  画像送信部
５００５  コマンド送信部
５２０３  ＩＤ取得部
５２０６  コマンド送信部
５２０７  応答受信部
５２０９  画像転送部
５２１０  複合機
５３２１  履歴記憶部
Ａ１、Ａ２、Ａ３、Ａ４、Ａ５、Ａ６  ネットワーク
Ｂ１、Ｂ２、Ｂ３、Ｂ４  ネットワーク
Ｃ１  ネットワーク
Ｄ１  ネットワーク
【図１】
2008153980.tif 000003
【図２】
2008153980.tif 000004
【図３】
2008153980.tif 000005
【図４】
2008153980.tif 000006
【図５】
2008153980.tif 000007
【図６】
2008153980.tif 000008
【図７】
2008153980.tif 000009
【図８】
2008153980.tif 000010
【図９】
2008153980.tif 000011
【図１０】
2008153980.tif 000012
【図１１】
2008153980.tif 000013
【図１２】
2008153980.tif 000014
【図１３】
2008153980.tif 000015
【図１４】
2008153980.tif 000016
【図１５】
2008153980.tif 000017
【図１６】
2008153980.tif 000018
【図１７】
2008153980.tif 000019
【図１８】
2008153980.tif 000020
【図１９】
2008153980.tif 000021
【図２０】
2008153980.tif 000022
【図２１】
2008153980.tif 000023
【図２２】
2008153980.tif 000024
【図２３】
2008153980.tif 000025
【図２４】
2008153980.tif 000026
【図２５】
2008153980.tif 000027
【図２６】
2008153980.tif 000028
【図２７】
2008153980.tif 000029
【図２８】
2008153980.tif 000030
【図２９】
2008153980.tif 000031
【図３０】
2008153980.tif 000032
【図３１】
2008153980.tif 000033
【図３２】
2008153980.tif 000034
【図３３】
2008153980.tif 000035
【図３４】
2008153980.tif 000036
【図３５】
2008153980.tif 000037
【図３６】
2008153980.tif 000038
【図３７】
2008153980.tif 000039
【図３８】
2008153980.tif 000040
【図３９】
2008153980.tif 000041
【図４０】
2008153980.tif 000042
【図４１】
2008153980.tif 000043
【図４２−１】
2008153980.tif 000044
【図４２−２】
2008153980.tif 000045
【図４３】
2008153980.tif 000046
【図４４】
2008153980.tif 000047
【図４５】
2008153980.tif 000048
【図４６】
2008153980.tif 000049
【図４７】
2008153980.tif 000050
【図４８】
2008153980.tif 000051
【図４９】
2008153980.tif 000052
【図５０】
2008153980.tif 000053
【図５１】
2008153980.tif 000054
【図５２】
2008153980.tif 000055
【図５３】
2008153980.tif 000056